(57)【要約】  デュアルモード移動局（ＭＳ）の通常動作中のＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワークとＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術、または１ｘ）ネットワークとの間の自律ハンドオーバのための方法および装置を提供する。本方法および装置は、ハンドオーバ中のサービス継続性を改善し、ＷｉＭＡＸまたはＣＤＭＡ規格への変更を必要としない。
2011522467.tif 000002
【特許請求の範囲】
【請求項１】
第１の無線アクセス技術（ＲＡＴ）および第２の無線アクセス技術（ＲＡＴ）を介するネットワークサービス間のハンドオーバを実行するための方法であって、
前記第１のＲＡＴを介する通信をしながら、前記第２のＲＡＴを介するネットワークサービスの走査を開始するトリガを検出することと、前記第１のＲＡＴと前記第２のＲＡＴとは異なり、
前記トリガを検出したことに応答して、前記第２のＲＡＴの前記走査を開始することと、
前記走査の結果に基づいて前記第２のＲＡＴを介するネットワークサービスへハンドオーバすべきかどうかを判断することと
を備える方法。
【請求項２】
前記トリガを検出することが周期的トリガに反応することを備える、請求項１に記載の方法。
【請求項３】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項１に記載の方法。
【請求項４】
前記走査を開始することが、走査間隔割振り要求（ＭＯＢ＿ＳＣＮ―ＲＥＱ）メッセージを送信することを備える、請求項３に記載の方法。
【請求項５】
前記トリガを検出することが、
前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回ることを判断することと、
平均ＣＩＮＲまたは平均ＲＳＳＩが第２のしきい値を上回る、前記第１のＲＡＴを介する通信をしている他のチャネルがないことを判断することと
を備える、請求項３に記載の方法。
【請求項６】
前記トリガを検出することは、ダイバーシティセット中のすべての要素の平均キャリア対干渉ノイズ比（ＣＩＮＲ）がしきい値を下回るときを判断することを備える、請求項３に記載の方法。
【請求項７】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項６に記載の方法。
【請求項８】
前記トリガを検出することは、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断することを備え、βが０以上の調整係数である、請求項３に記載の方法。
【請求項９】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項８に記載の方法。
【請求項１０】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項１に記載の方法。
【請求項１１】
前記走査を開始することが、データレート制御（ＤＲＣ）カバーとして「ｎｕｌｌ  ｃｏｖｅｒ」を送信することを備える、請求項１０に記載の方法。
【請求項１２】
前記トリガを検出することは、ＣＤＭＡアクティブセット中のすべてのパイロットがしきい値よりも小さいパイロット強度を有するときを判断することを備える、請求項１０に記載の方法。
【請求項１３】
前記しきい値が（１＋γ）＊Ｔ＿ＤＲＯＰに等しく、γが０以上の調整係数であり、Ｔ＿ＤＲＯＰが、前記ＣＤＭＡアクティブセットからパイロットをいつ削除すべきかを判断するために使用されるＣＤＭＡしきい値である、請求項１２に記載の方法。
【請求項１４】
前記トリガを検出することは、ネイバーリストメッセージ中で受信されたネイバーの数が、以前のネイバーリストメッセージ中の前記ネイバーの平均数を乗算されたβよりも小さいときを判断することを備え、βが０以上の調整係数である、請求項１０に記載の方法。
【請求項１５】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項１４に記載の方法。
【請求項１６】
前記ネイバーリストメッセージが、拡張ネイバーリストメッセージ、一般ネイバーリストメッセージ、または汎用ネイバーリストメッセージのうちの少なくとも１つである、請求項１４に記載の方法。
【請求項１７】
ワイヤレス通信のための受信機であって、
第１の無線アクセス技術（ＲＡＴ）によって通信しながら、第２のＲＡＴを介するネットワークサービスの走査を開始するトリガを検出するように構成されたトリガ検出論理と、前記第１のＲＡＴと前記第２のＲＡＴとは異なり
前記トリガを検出したことに応答して、前記第２のＲＡＴの前記走査を開始するように構成された走査開始論理と、
前記走査の結果に基づいて前記第２のＲＡＴを介するネットワークサービスへハンドオーバすべきかどうかを判断するように構成されたハンドオーバ判断論理と
を備える受信機。
【請求項１８】
前記トリガ検出論理が周期的トリガに反応するように構成された、請求項１７に記載の受信機。
【請求項１９】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項１７に記載の受信機。
【請求項２０】
前記トリガ検出論理が、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、請求項１９に記載の受信機。
【請求項２１】
前記トリガ検出論理が、ダイバーシティセット中のすべての要素の平均キャリア対干渉ノイズ比（ＣＩＮＲ）がしきい値を下回るときを判断するように構成された、請求項１９に記載の受信機。
【請求項２２】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項２１に記載の受信機。
【請求項２３】
前記トリガ検出論理は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、請求項１９に記載の受信機。
【請求項２４】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項２３に記載の受信機。
【請求項２５】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項１７に記載の受信機。
【請求項２６】
前記トリガ検出論理は、ＣＤＭＡアクティブセット中のすべてのパイロットがしきい値よりも小さいパイロット強度を有するときを判断するように構成された、請求項２５に記載の受信機。
【請求項２７】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項２６に記載の受信機。
【請求項２８】
前記トリガ検出論理が、ネイバーリストメッセージ中で受信されたネイバーの数が以前のネイバーリストメッセージ中の前記ネイバーの平均数を乗算されたβよりも小さいときを判断するように構成され、βが０以上の調整係数である、請求項２５に記載の受信機。
【請求項２９】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項２８に記載の受信機。
【請求項３０】
前記ネイバーリストメッセージが、拡張ネイバーリストメッセージ、一般ネイバーリストメッセージ、または汎用ネイバーリストメッセージのうちの少なくとも１つである、請求項２８に記載の受信機。
【請求項３１】
第１の無線アクセス技術（ＲＡＴ）および第２の無線アクセス技術（ＲＡＴ）を介するネットワークサービス間のハンドオーバを実行するための装置であって、
前記第１のＲＡＴを介する通信をしながら、前記第２のＲＡＴを介するネットワークサービスの走査を開始するトリガを検出するための手段と、前記第１のＲＡＴと前記第２のＲＡＴとは異なり、
前記トリガを検出したことに応答して、前記第２のＲＡＴの前記走査を開始するための手段と、
前記走査の結果に基づいて前記第２のＲＡＴを介するネットワークサービスへハンドオーバすべきかどうかを判断するための手段と
を備える装置。
【請求項３２】
前記トリガを検出するための前記手段が周期的トリガに反応するように構成された、請求項３１に記載の装置。
【請求項３３】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項３１に記載の装置。
【請求項３４】
前記トリガを検出するための前記手段が、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、請求項３３に記載の装置。
【請求項３５】
前記トリガを検出するための前記手段が、ダイバーシティセット中のすべての要素の平均キャリア対干渉ノイズ比（ＣＩＮＲ）がしきい値を下回るときを判断するように構成された、請求項３３に記載の装置。
【請求項３６】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項３５に記載の装置。
【請求項３７】
前記トリガを検出するための前記手段は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、請求項３３に記載の装置。
【請求項３８】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項３７に記載の装置。
【請求項３９】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項３１に記載の装置。
【請求項４０】
前記トリガを検出するための前記手段は、ＣＤＭＡアクティブセット中のすべてのパイロットがしきい値よりも小さいパイロット強度を有するときを判断するように構成された、請求項３９に記載の装置。
【請求項４１】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項４０に記載の装置。
【請求項４２】
前記トリガを検出するための前記手段が、ネイバーリストメッセージ中で受信されたネイバーの数が以前のネイバーリストメッセージ中の前記ネイバーの平均数を乗算されたβよりも小さいときを判断するように構成され、βが０以上の調整係数である、請求項３９に記載の装置。
【請求項４３】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項４２に記載の装置。
【請求項４４】
前記ネイバーリストメッセージが、拡張ネイバーリストメッセージ、一般ネイバーリストメッセージ、または汎用ネイバーリストメッセージのうちの少なくとも１つである、請求項４２に記載の装置。
【請求項４５】
第１の無線アクセス技術（ＲＡＴ）によって通信するための受信機フロントエンドと、
前記第１のＲＡＴを介する通信をしながら、第２のＲＡＴを介するネットワークサービスの走査を開始するトリガを検出するように構成されたトリガ検出論理と、前記第１のＲＡＴと前記第２のＲＡＴとは異なり、
前記トリガを検出したことに応答して、前記第２のＲＡＴの前記走査を開始するように構成された走査開始論理と、
前記走査の結果に基づいて前記第２のＲＡＴを介するネットワークサービスへハンドオーバすべきかどうかを判断するように構成されたハンドオーバ判断論理と
を備えるモバイルデバイス。
【請求項４６】
前記トリガ検出論理が周期的トリガに反応するように構成された、請求項４５に記載のモバイルデバイス。
【請求項４７】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項４５に記載のモバイルデバイス。
【請求項４８】
前記トリガ検出論理が、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、請求項４７に記載のモバイルデバイス。
【請求項４９】
前記トリガ検出論理が、ダイバーシティセット中のすべての要素の平均キャリア対干渉ノイズ比（ＣＩＮＲ）がしきい値を下回るときを判断するように構成された、請求項４７に記載のモバイルデバイス。
【請求項５０】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項４９に記載のモバイルデバイス。
【請求項５１】
前記トリガ検出論理は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、請求項４７に記載のモバイルデバイス。
【請求項５２】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項５１に記載のモバイルデバイス。
【請求項５３】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項４５に記載のモバイルデバイス。
【請求項５４】
前記トリガ検出論理は、ＣＤＭＡアクティブセット中のすべてのパイロットがしきい値よりも小さいパイロット強度を有するときを判断するように構成された、請求項５３に記載のモバイルデバイス。
【請求項５５】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項５４に記載のモバイルデバイス。
【請求項５６】
前記トリガ検出論理が、ネイバーリストメッセージ中で受信されたネイバーの数が以前のネイバーリストメッセージ中の前記ネイバーの平均数を乗算されたβよりも小さいときを判断するように構成され、βが０以上の調整係数である、請求項５３に記載のモバイルデバイス。
【請求項５７】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項５６に記載のモバイルデバイス。
【請求項５８】
前記ネイバーリストメッセージが、拡張ネイバーリストメッセージ、一般ネイバーリストメッセージ、または汎用ネイバーリストメッセージのうちの少なくとも１つである、請求項５６に記載のモバイルデバイス。
【請求項５９】
１つまたは複数のプロセッサによって実行可能な命令を記憶したコンピュータ可読媒体を備える、第１の無線アクセス技術（ＲＡＴ）および第２の無線アクセス技術（ＲＡＴ）を介するネットワークサービス間のハンドオーバを実行するためのコンピュータプログラム装置であって、前記命令が、
前記第１のＲＡＴを介する通信をしながら、前記第２のＲＡＴを介するネットワークサービスの走査を開始するトリガを検出するための命令と、前記第１のＲＡＴと前記第２のＲＡＴとは異なり、
前記トリガを検出したことに応答して、前記第２のＲＡＴの前記走査を開始するための命令と、
前記走査の結果に基づいて前記第２のＲＡＴを介するネットワークサービスへハンドオーバすべきかどうかを判断するための命令と
を備える、コンピュータプログラム装置。
【請求項６０】
前記トリガを検出するための前記命令が周期的トリガに反応するための命令を備える、請求項５９に記載のコンピュータプログラム装置。
【請求項６１】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項５９に記載のコンピュータプログラム装置。
【請求項６２】
前記トリガを検出するための前記命令が、
前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回ることを判断するための命令と、
平均ＣＩＮＲまたは平均ＲＳＳＩが第２のしきい値を上回る、前記第１のＲＡＴを介する通信をしている他のチャネルがないことを判断するための命令と
を備える、請求項６１に記載のコンピュータプログラム装置。
【請求項６３】
前記トリガを検出するための前記命令が、ダイバーシティセット中のすべての要素の平均キャリア対干渉ノイズ比（ＣＩＮＲ）がしきい値を下回るときを判断するための命令を備える、請求項６１に記載のコンピュータプログラム装置。
【請求項６４】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項６３に記載のコンピュータプログラム装置。
【請求項６５】
前記トリガを検出するための前記命令は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するための命令を備え、βが０以上の調整係数である、請求項６１に記載のコンピュータプログラム装置。
【請求項６６】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項６５に記載のコンピュータプログラム装置。
【請求項６７】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項５９に記載のコンピュータプログラム装置。
【請求項６８】
前記トリガを検出するための前記命令は、ＣＤＭＡアクティブセット中のすべてのパイロットがしきい値よりも小さいパイロット強度を有するときを判断するための命令を備える、請求項６７に記載のコンピュータプログラム装置。
【請求項６９】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項６８に記載のコンピュータプログラム装置。
【請求項７０】
前記トリガを検出するための前記命令が、ネイバーリストメッセージ中で受信されたネイバーの数が以前のネイバーリストメッセージ中の前記ネイバーの平均数を乗算されたβよりも小さいときを判断するための命令を備え、βが０以上の調整係数である、請求項６７に記載のコンピュータプログラム装置。
【請求項７１】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項７０に記載のコンピュータプログラム装置。
【請求項７２】
前記ネイバーリストメッセージが、拡張ネイバーリストメッセージ、一般ネイバーリストメッセージ、または汎用ネイバーリストメッセージのうちの少なくとも１つである、請求項７０に記載のコンピュータプログラム装置。
【発明の詳細な説明】
【技術分野】
【０００１】
優先権の主張
本出願は、すべて、本出願の譲受人に譲渡され、すべての目的のために参照により本明細書に完全に組み込まれる、２００８年５月１１日に出願された「Systems and Methods for Multimode Wireless Communication Handoff」と題する米国仮特許出願第６１／０５２，２６５号、および同じく２００８年５月１１日に出願された同じく「Systems and Methods for Multimode Wireless Communication Handoff」と題する米国仮特許出願第６１／０５２，２６６号の優先権の利益を主張する、２００８年７月１８日に出願された「Systems and Methods for Multimode Wireless Communication Handoff」と題する米国特許出願第１２／１７６，３０４号の一部継続出願であり、その優先権の利益を主張する。
【０００２】
本出願はまた、両方とも本出願の譲受人に譲渡され、すべての目的のために参照により本明細書に完全に組み込まれる、２００８年５月１１日に出願された「Systems and Methods for Multimode Wireless Communication Handoff」と題する米国仮特許出願第６１／０５２，２５９号、および同じく２００８年５月１１日に出願された同じく「Systems and Methods for Multimode Wireless Communication Handoff」と題する米国仮特許出願第６１／０５２，２６０号の優先権の利益を主張する。
【０００３】
本開示のいくつかの実施形態は、一般にワイヤレス通信に関し、より詳細には、ＷｉＭＡＸネットワークからＣＤＭＡへ、およびその逆への移動局（ＭＳ）の自律ハンドオーバに関する。
【背景技術】
【０００４】
ＩＥＥＥ８０２．１６に基づく直交周波数分割多重（ＯＦＤＭ）および直交周波数分割多元接続（ＯＦＤＭＡ）ワイヤレス通信システムは、複数のサブキャリアの周波数の直交性に基づいて、システムにおいてサービスに登録したワイヤレスデバイス（すなわち、移動局）と通信するために基地局のネットワークを使用しており、マルチパスフェージングおよび干渉に対する抵抗など、広帯域ワイヤレス通信のためのいくつかの技術的利点を達成するために実装できる。各基地局（ＢＳ）は、移動局との間でデータを搬送する無線周波数（ＲＦ）信号を送り、受信する。移動局（ＭＳ）がある基地局によってカバーされるエリアから離れて、別の基地局によってカバーされるエリアに入るなど、様々な理由で、ある基地局から別の基地局へ通信サービス（たとえば、呼またはデータセッション中（ongoing)に、ハンドオーバ（ハンドオフとしても知られる）を実行することができる。
【０００５】
３つのハンドオーバ方法、すなわちハードハンドオフ（ＨＨＯ）、高速基地局スイッチング（ＦＢＳＳ）およびマクロダイバーシティハンドオーバ（ＭＤＨＯ）が、ＩＥＥＥ８０２．１６ｅ−２００５においてサポートされている。これらのうちで、ＨＨＯをサポートすることは必須あり、ＦＢＳＳおよびＭＤＨＯは２つの随意の選択肢である。
【０００６】
ＨＨＯは、あるＢＳから別のＢＳへの接続の急激な転送を暗示する。ＭＳによって報告された測定結果に基づいて、ＭＳまたはＢＳがハンドオーバ決定を行うことができる。ＭＳは、周期的にＲＦ走査を行い、隣接基地局の信号品質を測定することができる。ハンドオーバ決定は、たとえば、あるセルからの信号強度が現在のセルを超えること、ＭＳのロケーション変更が信号フェージングまたは干渉をもたらすこと、またはＭＳがより高いサービス品質（ＱｏＳ）を要求することから起こる。ＢＳによって割り振られた走査間隔中に走査が実行される。これらの間隔中に、ＭＳはまた、随意に初期レンジングを実行し、１つまたは複数の隣接基地局に関連付けることが可能である。ハンドオーバ決定が行われると、ＭＳはターゲットＢＳのダウンリンク送信との同期を開始し、走査の間に行われなかった場合、レンジングを実行し、次いで、前のＢＳとの接続を終了することができる。タイマが満了するまで、ＢＳにおいて未配信のプロトコルデータユニット（ＰＤＵ）を保持することができる。
【０００７】
ＦＢＳＳがサポートされる場合、ＭＳおよびＢＳはＭＳを有するＦＢＳＳに含まれるＢＳのリストを維持する。このセットはダイバーシティセットと呼ばれる。ＦＢＳＳでは、ＭＳは、ダイバーシティセット中の基地局を連続的に監視する。ダイバーシティセット中のＢＳの中から、アンカーＢＳが定義される。ＦＢＳＳで動作しているときに、ＭＳは、管理およびトラフィック接続を含むアップリンクおよびダウンリンクメッセージについて、アンカーＢＳとのみ通信する。ダイバーシティセット中の別のＢＳが現在のアンカーＢＳよりも良い信号強度を有する場合、あるアンカーＢＳから別のＢＳへの遷移（すなわち、ＢＳスイッチング）を実行することができる。チャネル品質インジケータチャネル（ＣＱＩＣＨ）または明示的ハンドオーバ（ＨＯ）シグナリングメッセージを介してサービングＢＳと通信することによってアンカー更新手順が可能になる。
【０００８】
ダイバーシティセット内で変更することができるアンカーＢＳからデータを受信または送信する、ＭＳによる決定でＦＢＳＳハンドオーバは開始する。ＭＳは、ネイバーＢＳを走査し、ダイバーシティセット中に含めるのに適したネイバーＢＳを選択する。ＭＳは選択したＢＳを報告し、ＢＳおよびＭＳはダイバーシティセットを更新する。ＭＳは、ダイバーシティセット中にあるＢＳの信号強度を連続的に監視することができ、セットから１つのＢＳをアンカーＢＳとして選択する。ＭＳは、選択したアンカーＢＳを、ＣＱＩＣＨまたはＭＳ開始ハンドオーバ要求メッセージで報告する。
【０００９】
ＭＤＨＯをサポートするＭＳおよびＢＳの場合、ＭＳおよびＢＳは、ＭＳを有するＭＤＨＯに含まれるＢＳのダイバーシティセットを維持する。ダイバーシティセット中のＢＳの中から、アンカーＢＳが定義される。正規の動作モードは、ダイバーシティセットが単一のＢＳからなる特定の場合のＭＤＨＯを指す。ＭＤＨＯで動作しているとき、ＭＳは、アップリンクおよびダウンリンクユニキャストメッセージおよびトラフィックのダイバーシティセット中のすべてのＢＳと通信する。
【００１０】
ＭＳが同じ時間間隔において複数のＢＳからユニキャストメッセージおよびトラフィックを送信または受信することを決定したとき、ＭＤＨＯは開始する。ダウンリンクＭＤＨＯの場合、ＭＳにおいてダイバーシティ合成が実行されるように、２つ以上のＢＳがＭＳダウンリンクデータの同期送信を行う。アップリンクＭＤＨＯの場合、ＭＳからの送信が、複数のＢＳによって受信され、受信された情報の選択ダイバーシティが実行される。
【発明の概要】
【００１１】
本開示のいくつかの実施形態は、一般にＷｉＭＡＸネットワークからＣＤＭＡネットワークへなど、ある無線アクセス技術（ＲＡＴ）ネットワークから別の異なるＲＡＴネットワークへ、およびその逆への移動局（ＭＳ）の自律ハンドオーバを実行することに関する。このハンドオーバはＭＳの通常動作中に行うことができ、それによって、ＭＳがあるネットワークから次のネットワークへ進む間のサービス継続性を向上させることができる。
【００１２】
本開示のいくつかの実施形態は、第１のＲＡＴおよび第２のＲＡＴを介するネットワークサービス間のハンドオーバを実行するための方法であって、第１のＲＡＴと第２のＲＡＴとが異なる、方法を提供する。本方法は一般に、第１のＲＡＴを介する通信をしながら、第２のＲＡＴを介するネットワークサービスの走査を開始するトリガを検出することと、トリガを検出したことに応答して、第２のＲＡＴの走査を開始することと、走査の結果に基づいて第２のＲＡＴを介するネットワークサービスへハンドオーバすべきかどうかを判断することとを含む。
【００１３】
本開示のいくつかの実施形態は、ワイヤレス通信のための受信機を提供する。本受信機は一般に、第１のＲＡＴを介する通信をしながら、第２のＲＡＴを介するネットワークサービスの走査を開始するトリガを検出するように構成されたトリガ検出論理と、第１のＲＡＴと第２のＲＡＴとは異なり、トリガ検出論理と、トリガを検出したことに応答して、第２のＲＡＴの走査を開始するように構成された走査開始論理と、走査の結果に基づいて第２のＲＡＴを介するネットワークサービスへハンドオーバすべきかどうかを判断するように構成されたハンドオーバ判断論理とを含む。
【００１４】
本開示のいくつかの実施形態は、第１のＲＡＴおよび第２のＲＡＴを介するネットワークサービス間のハンドオーバを実行するための装置を提供する。本装置は一般に、第１のＲＡＴを介する通信をしながら、第２のＲＡＴを介するネットワークサービスの走査を開始するトリガを検出するための手段と、第１のＲＡＴと第２のＲＡＴとは異なり、トリガを検出したことに応答して、第２のＲＡＴの走査を開始するための手段と、走査の結果に基づいて第２のＲＡＴを介するネットワークサービスへハンドオーバすべきかどうかを判断するための手段とを含む。
【００１５】
本開示のいくつかの実施形態は、モバイルデバイスを提供する。本モバイルデバイスは一般に、第１のＲＡＴを介する通信するための受信機フロントエンドと、第１のＲＡＴを介する通信をしながら、第２のＲＡＴを介するネットワークサービスの走査を開始するトリガを検出するように構成されたトリガ検出論理と、第１のＲＡＴと第２のＲＡＴとは異なり、トリガを検出したことに応答して、第２のＲＡＴの走査を開始するように構成された走査開始論理と、走査の結果に基づいて第２のＲＡＴを介するネットワークサービスへハンドオーバすべきかどうかを判断するように構成されたハンドオーバ判断論理とを含む。
【００１６】
本開示のいくつかの実施形態は、第１のＲＡＴおよび第２のＲＡＴを介するネットワークサービス間のハンドオーバを実行するためのプログラムであって、プロセッサによって実行されるといくつかの動作を実行するプログラムを含んでいるコンピュータ可読媒体を提供する。本動作は、一般に第１のＲＡＴを介する通信をしながら、第２のＲＡＴを介するネットワークサービスの走査を開始するトリガを検出することと、トリガを検出したことに応答して、第２のＲＡＴの走査を開始することと、走査の結果に基づいて第２のＲＡＴを介するネットワークサービスへハンドオーバすべきかどうかを判断することとを含む。
【００１７】
本開示のいくつかの実施形態は、命令を記憶したコンピュータ可読媒体を備える、第１の無線アクセス技術（ＲＡＴ）および第２の無線アクセス技術（ＲＡＴ）を介するネットワークサービス間のハンドオーバを実行するためのコンピュータプログラム装置を提供する。命令は、１つまたは複数のプロセッサによって実行可能である。命令は、第１のＲＡＴを介する通信をしながら、第２のＲＡＴを介するネットワークサービスの走査を開始するトリガを検出するための命令と、第１のＲＡＴと第２のＲＡＴとは異なる、を含む。命令は、トリガを検出したことに応答して、第２のＲＡＴの走査を開始するための命令を含む。命令は、走査の結果に基づいて第２のＲＡＴを介するネットワークサービスへハンドオーバすべきかどうかを判断するための命令を含む。
【００１８】
本開示の上述の特徴を詳細に理解することができるように、その一部を添付の図面に示す実施形態を参照することによって、上記で簡単に要約したより具体的な説明を得ることができる。ただし、添付の図面は、本開示のいくつかの典型的な実施形態のみを示し、したがって、説明は他の等しく有効な実施形態に通じるので、その範囲を限定するものと見なされるべきではないことに留意されたい。
【図面の簡単な説明】
【００１９】
【図１】本開示のいくつかの実施形態による、例示的なワイヤレス通信システムを示す図。
【図２】本開示のいくつかの実施形態による、ワイヤレスデバイスにおいて利用できる様々な構成要素を示す図。
【図３】本開示のいくつかの実施形態による、直交周波数分割多重および直交周波数分割多元接続（ＯＦＤＭ／ＯＦＤＭＡ）技術を利用するワイヤレス通信システム内で使用できる例示的な送信機と例示的な受信機とを示す図。
【図４Ａ】本開示のいくつかの実施形態による、デュアルモード移動局（ＭＳ）がＷｉＭＡＸ無線アクセスネットワークのカバレージの外側に移動し、ＣＤＭＡ  ＥＶＤＯ／１ｘネットワークのカバレージに入ることができるモビリティシナリオを示す図。
【図４Ｂ】本開示のいくつかの実施形態による、デュアルモードＭＳがＣＤＭＡ  ＥＶＤＯ無線アクセスネットワークのカバレージの外側に移動し、ＷｉＭＡＸネットワークのカバレージに入ることができるモビリティシナリオを示す図。
【図５】本開示のいくつかの実施形態による、ＷｉＭＡＸネットワークからＣＤＭＡ  ＥＶＤＯ／１ｘネットワークへのデュアルモードＭＳの自律ハンドオーバを実行するための例示的な動作のフローチャート。
【図５Ａ】本開示のいくつかの実施形態による、ＷｉＭＡＸネットワークからＣＤＭＡ  ＥＶＤＯ／１ｘネットワークへの自律ハンドオーバを実行するための図５の例示的な動作に対応する手段のブロック図。
【図６】本開示のいくつかの実施形態による、インタリーブ間隔中にＷｉＭＡＸネットワークサービスを使用して通信しているＭＳによって要求される例示的なＣＤＭＡ走査間隔を示す図。
【図７】本開示のいくつかの実施形態による、ＷｉＭＡＸ基地局からＣＤＭＡ  ＥＶＤＯ／１ｘ基地局へのＭＳ自律ハンドオーバを実行するための例示的な動作のコールフローを示す図。
【図８】本開示のいくつかの実施形態による、ＣＤＭＡ  ＥＶＤＯネットワークからＷｉＭＡＸネットワークへのデュアルモードＭＳの自律ハンドオーバを実行するための例示的な動作のフローチャート。
【図８Ａ】本開示のいくつかの実施形態による、ＣＤＭＡ  ＥＶＤＯネットワークからＷｉＭＡＸネットワークへの自律ハンドオーバを実行するための図８の例示的な動作に対応する手段のブロック図。
【図９】本開示のいくつかの実施形態による、ＣＤＭＡ  ＥＶＤＯ基地局からＷｉＭＡＸ基地局へのＭＳ自律ハンドオーバを実行するための例示的な動作のコールフローを示す図。
【発明を実施するための形態】
【００２０】
本開示のいくつかの実施形態は、デュアルモード移動局（ＭＳ）の通常動作中のＷｉＭＡＸネットワークとＣＤＭＡ  ＥＶＤＯ／１ｘネットワークとの間の自律ハンドオーバのための方法および装置を提供する。本方法および装置は、ハンドオーバ中のサービス継続性を改善し、ＷｉＭＡＸまたはＣＤＭＡ規格への変更を必要としない。
【００２１】
例示的なワイヤレス通信システム
本開示の方法および装置は、ブロードバンドワイヤレス通信システムにおいて利用できる。「ブロードバンドワイヤレス」という用語は、所与のエリアにわたるワイヤレス、音声、インターネット、および／またはデータネットワークアクセスを与える技術を指す。
【００２２】
Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表すＷｉＭＡＸは、長距離にわたる高いスループットブロードバンド接続を与える、規格ベースのブロードバンドワイヤレス技術である。現在、ＷｉＭＡＸの２つの主要な適用例、すなわち固定ＷｉＭＡＸとモバイルＷｉＭＡＸとがある。固定ＷｉＭＡＸ適用例は、たとえば、家庭および企業でのブロードバンドアクセスを可能にするポイントツーマルチポイントである。モバイルＷｉＭＡＸは、ブロードバンド速度でのセルラーネットワークのフルモビリティを提供する。
【００２３】
モバイルＷｉＭＡＸは、ＯＦＤＭ（直交周波数分割多重）およびＯＦＤＭＡ（直交周波数分割多元接続）技術に基づく。ＯＦＤＭは、最近、様々な高データレート通信システムに広く採用されているデジタルマルチキャリア変調技法である。ＯＦＤＭでは、送信ビットストリームは、複数の低レートサブストリームに分割される。各サブストリームは、複数の直交サブキャリアのうちの１つを用いて変調され、複数の並列サブチャネルのうちの１つの上で送信される。ＯＦＤＭＡは、ユーザが、異なるタイムスロットにおいてサブキャリアを割り当てられる多元接続技法である。ＯＦＤＭＡは、多種多様なアプリケーション、データレート、およびサービス品質要件をもつ多くのユーザに対応することができるフレキシブルな多元接続技法である。
【００２４】
ワイヤレスインターネットおよび通信の急成長は、ワイヤレス通信サービスの分野における高データレートに対する需要の増加をもたらした。ＯＦＤＭ／ＯＦＤＭＡシステムは、今日、最も有望な研究領域の１つとして、および次世代のワイヤレス通信のための主要な技術として考えられている。これは、ＯＦＤＭ／ＯＦＤＭＡ変調方式が、変調効率、スペクトル効率、柔軟性、および従来のシングルキャリア変調方式に勝る強いマルチパス耐性など多くの利点を与えることができることに起因する。
【００２５】
ＩＥＥＥ８０２．１６ｘは、固定およびモバイルブロードバンドワイヤレスアクセス（ＢＷＡ）システムのためのエアインターフェースを定義する新興の規格組織である。ＩＥＥＥ８０２．１６ｘは、２００４年５月に固定ＢＷＡシステムのための「IEEE P802.16-REVd/D5-2004」を承認し、２００５年１０月にモバイルＢＷＡシステムのための「IEEE P802.16e/D12 Oct. 2005」を公開した。それらの２つの規格は、４つの異なる物理層（ＰＨＹ）および１つのメディアアクセス制御（ＭＡＣ）層を定義した。４つの物理層のうちのＯＦＤＭおよびＯＦＤＭＡ物理層は、それぞれ固定およびモバイルＢＷＡ領域において最も一般的である。
【００２６】
図１に、ワイヤレス通信システム１００の一例を示す。ワイヤレス通信システム１００は、ブロードバンドワイヤレス通信システムとすることができる。ワイヤレス通信システム１００は、いくつかのセル１０２に通信を与えることができ、各セルは基地局１０４によってサービスされる。基地局１０４は、ユーザ端末１０６と通信する固定局とすることができる。基地局１０４は、代替的に、アクセスポイント、ノードＢ、または何らかの他の用語で呼ばれることもある。
【００２７】
図１に、システム１００全体に散在する様々なユーザ端末１０６を示す。ユーザ端末１０６は固定（すなわち、静止）でも移動でもよい。ユーザ端末１０６は、代替的に、リモート局、アクセス端末、端末、加入者ユニット、移動局、局、ユーザ機器などと呼ばれることもある。ユーザ端末１０６は、セルラー電話、携帯情報端末（ＰＤＡ）、ハンドヘルドデバイス、ワイヤレスモデム、ラップトップコンピュータ、パーソナルコンピュータ（ＰＣ）などワイヤレスデバイスでもよい。
【００２８】
様々なアルゴリズムおよび方法を、基地局１０４とユーザ端末１０６との間の、ワイヤレス通信システム１００における送信のために使用することができる。たとえば、ＯＦＤＭ／ＯＦＤＭＡ技法に従って、基地局１０４とユーザ端末１０６との間で信号を送信および受信することができる。この場合には、ワイヤレス通信システム１００をＯＦＤＭ／ＯＦＤＭＡシステムと呼ぶことができる。
【００２９】
基地局１０４からユーザ端末１０６への送信を可能にする通信リンクをダウンリンク１０８と呼び、ユーザ端末１０６から基地局１０４への送信を可能にする通信リンクをアップリンク１１０と呼ぶことができる。代替的に、ダウンリンク１０８を順方向リンクまたは順方向チャネルと呼び、アップリンク１１０を逆方向リンクまたは逆方向チャネルと呼ぶことができる。
【００３０】
セル１０２は複数のセクタ１１２に分割できる。セクタ１１２は、セル１０２内の物理的カバレージエリアである。ワイヤレス通信システム１００内の基地局１０４は、セル１０２の特定のセクタ１１２内の電力の流れを集中させるアンテナを利用することができる。そのようなアンテナを指向性アンテナと呼ぶことができる。
【００３１】
図２に、ワイヤレスデバイス２０２中で利用できる様々な構成要素を示す。ワイヤレスデバイス２０２は、本明細書で説明する様々な方法を実装するように構成できるデバイスの一例である。ワイヤレスデバイス２０２は基地局１０４またはユーザ端末１０６とすることができる。
【００３２】
ワイヤレスデバイス２０２は、ワイヤレスデバイス２０２の動作を制御するプロセッサ２０４を含むことができる。プロセッサ２０４は中央処理装置（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に与える。メモリ２０６の一部は不揮発性ランダムアクセスメモリ（ＮＶＲＡＭ）をも含むことができる。プロセッサ２０４は一般に、メモリ２０６内に記憶されたプログラム命令に基づいて、論理および演算動作を実行する。メモリ２０６中の命令は、本明細書で説明する方法を実装するために実行可能である。
【００３３】
ワイヤレスデバイス２０２は、ワイヤレスデバイス２０２と遠隔地との間のデータの送信および受信を可能にするために送信機２１０と受信機２１２とを含むことができるハウジング２０８を含むこともできる。送信機２１０と受信機２１２とを組み合わせてトランシーバ２１４を形成することができる。アンテナ２１６は、ハウジング２０８に取り付けられ、トランシーバ２１４に電気的に結合される。ワイヤレスデバイス２０２は、複数の送信機、複数の受信機、複数のトランシーバ、および／または複数のアンテナ（図示せず）をも含むことができる。
【００３４】
ワイヤレスデバイス２０２は、トランシーバ２１４によって受信された信号のレベルを検出および定量化するために使用できる信号検出器２１８をも含むことができる。信号検出器２１８は、総エネルギー、パイロットサブキャリアからのパイロットエネルギーまたはプリアンブルシンボルからの信号エネルギー、電力スペクトル密度、および他の信号などの信号を検出できる。ワイヤレスデバイス２０２は、信号を処理する際に使用するためのデジタル信号プロセッサ（ＤＳＰ）２２０を含むこともできる。
【００３５】
ワイヤレスデバイス２０２の様々な構成要素は、データバスに加えて、パワーバス、制御信号バス、およびステータス信号バスを含むことができるバスシステム２２２によって一緒に結合できる。
【００３６】
図３に、ＯＦＤＭ／ＯＦＤＭＡを利用するワイヤレス通信システム１００内で使用できる送信機３０２の一例を示す。送信機３０２の部分は、ワイヤレスデバイス２０２の送信機２１０中に実装される。送信機３０２は、ダウンリンク１０８上でデータ３０６をユーザ端末１０６に送信するための基地局１０４中に実装される。送信機３０２は、アップリンク１１０上でデータ３０６を基地局１０４に送信するためのユーザ端末１０６中にも実装される。
【００３７】
送信されるデータ３０６は、直並列（Ｓ／Ｐ）変換器３０８に入力として供給されるものとして示してある。Ｓ／Ｐ変換器３０８は送信データをＮ個の並列データストリーム３１０に分割する。
【００３８】
次いで、Ｎ個の並列データストリーム３１０はマッパー３１２に入力として供給される。マッパー３１２は、Ｎ個の並列データストリーム３１０をＮ個のコンスタレーションポイントにマッピングすることができる。マッピングは、２位相偏移キーイング（ＢＰＳＫ）、４位相偏移キーイング（ＱＰＳＫ）、８位相偏移キーイング（８ＰＳＫ）、直交振幅変調（ＱＡＭ）など、何らかの変調コンスタレーションを使用して行われる。したがって、マッパー３１２は、それぞれ逆高速フーリエ変換（ＩＦＦＴ）３２０のＮ個の直交サブキャリアのうちの１つに対応する、Ｎ個の並列シンボルストリーム３１６を出力する。これらのＮ個の並列シンボルストリーム３１６は、周波数領域において表され、ＩＦＦＴ構成要素３２０によってＮ個の並列時間領域サンプルストリーム３１８に変換される。
【００３９】
次に、用語に関する簡単な注釈を与える。周波数領域におけるＮ個の並列変調は、周波数領域におけるＮ個の変調シンボルに等しく、これは、周波数領域におけるＮ個のマッピングおよびＮ個のポイントＩＦＦＴに等しく、これは、時間領域における１つの（有用な）ＯＦＤＭシンボルに等しく、これは、時間領域におけるＮ個のサンプルに等しい。時間領域における１つのＯＦＤＭシンボル、Ｎｓは、Ｎｃｐ（ＯＦＤＭシンボル当たりのガードサンプル数）＋Ｎ（ＯＦＤＭシンボル当たりの有用なサンプル数）に等しい。
【００４０】
Ｎ個の並列時間領域サンプルストリーム３１８は、並直列（Ｐ／Ｓ）変換器３２４によって、ＯＦＤＭ／ＯＦＤＭＡシンボルストリーム３２２に変換される。ガード挿入構成要素３２６は、ＯＦＤＭ／ＯＦＤＭＡシンボルストリーム３２２中の連続したＯＦＤＭ／ＯＦＤＭＡシンボル間にガードインターバルを挿入する。次いで、ガード挿入構成要素３２６の出力は、無線周波数（ＲＦ）フロントエンド３２８によって、所望の送信周波数帯域にアップコンバートされる。次いで、アンテナ３３０は、得られた信号３３２を送信する。
【００４１】
図３に、ＯＦＤＭ／ＯＦＤＭＡを利用するワイヤレス通信システム１００内で使用できる受信機３０４の一例をも示す。受信機３０４の部分は、ワイヤレスデバイス２０２の受信機２１２中に実装される。受信機３０４は、ダウンリンク１０８上で基地局１０４からデータ３０６を受信するためのユーザ端末１０６中に実装される。受信機３０４は、アップリンク１１０上でユーザ端末１０６からデータ３０６を受信するための基地局１０４中に実装される。
【００４２】
送信信号３３２は、ワイヤレスチャネル３３４上を移動するものとして示してある。信号３３２’がアンテナ３３０’によって受信されると、受信信号３３２’はＲＦフロントエンド３２８’によってベースバンド信号にダウンコンバートされる。次いで、ガード除去構成要素３２６’は、ガード挿入構成要素３２６によってＯＦＤＭ／ＯＦＤＭＡシンボル間に挿入されたガードインターバルを除去する。
【００４３】
ガード除去構成要素３２６’の出力はＳ／Ｐ変換器３２４’に供給される。Ｓ／Ｐ変換器３２４’は、ＯＦＤＭ／ＯＦＤＭＡシンボルストリーム３２２’を、それぞれＮ個の直交サブキャリアのうちの１つに対応するＮ個の並列時間領域シンボルストリーム３１８’に分割する。高速フーリエ変換（ＦＦＴ）構成要素３２０’は、Ｎ個の並列時間領域シンボルストリーム３１８’を周波数領域に変換し、Ｎ個の並列周波数領域シンボルストリーム３１６’を出力する。
【００４４】
デマッパー３１２’は、マッパー３１２によって実行されたシンボルマッピング動作の逆を実行し、それによって、Ｎ個の並列データストリーム３１０’を出力する。Ｐ／Ｓ変換器３０８’は、Ｎ個の並列データストリーム３１０’を単一のデータストリーム３０６’に合成する。理想的には、このデータストリーム３０６’は、送信機３０２に入力として供給されたデータ３０６に対応する。
【００４５】
ＷｉＭＡＸからＣＤＭＡへの例示的なハンドオーバ
図４Ａに、ＷｉＭＡＸセル１０２が符号分割多元接続（ＣＤＭＡ）セル４０４と隣接しているモビリティシナリオを示す。ＷｉＭＡＸセル１０２の少なくともいくつかは、ＣＤＭＡ信号のカバレージを与えることもできるが、本開示中のいくつかの実施形態のために、セル１０２は今回、ＭＳ４２０と通信するためにＷｉＭＡＸを利用する。各ＷｉＭＡＸセル１０２は一般に、デュアルモードＭＳ４２０など、ユーザ端末とのＷｉＭＡＸネットワーク通信を可能にするために、ＷｉＭＡＸ基地局（ＢＳ）１０４を有する。本明細書で使用する、デュアルモードＭＳは一般に、ＷｉＭＡＸ信号とＣＤＭＡ信号の両方を処理することが可能なＭＳを指す。ＷｉＭＡＸセル１０２と同様に、各ＣＤＭＡセル４０４は一般に、たとえば、ＭＳ４２０などユーザ端末を用いたＣＤＭＡ  Ｅｖｏｌｕｔｉｏｎ−Ｄａｔａ  Ｏｐｔｉｍｉｚｅｄ（ＥＶＤＯ）または１ｘ無線伝送技術（１ｘＲＴＴまたは単に１ｘ）通信を可能にするために、ＣＤＭＡ  ＢＳ４１０を有する。
【００４６】
図４Ａの現在のシナリオでは、ＭＳ４２０は、ＷｉＭＡＸ  ＢＳ１０４のカバレージエリアの外側に移動し、ＣＤＭＡ  ＢＳ４１０のカバレージエリアに入ることができる。図示のようにＷｉＭＡＸセル１０２からＣＤＭＡセル４０４に遷移する間、ＭＳ４２０は、ＭＳが両方のネットワークから信号を受信することが可能であるカバレージオーバーラップエリア４０８に入ることができる。
【００４７】
この遷移中に、ＭＳは、ＷｉＭＡＸ  ＢＳからＣＤＭＡ  ＢＳへのハンドオーバプロセスを実施することができる。同じネットワークタイプの２つのＢＳ間のハンドオーバに関連する通常の困難に加えて、ＷｉＭＡＸからＣＤＭＡ  ＥＶＤＯ／１ｘへなど、異なるネットワークタイプの２つのＢＳ間のハンドオーバは、サービス継続性にさらなる課題を提示し、これは、ハンドオーバが行われるとき、ＭＳがデータ転送中(ongoing)に深刻である。
【００４８】
したがって、デュアルモードＭＳがサービス途絶を最小限に抑えながらＷｉＭＡＸネットワークからＣＤＭＡネットワークへのハンドオーバを迅速に自律的に実行することができるような技法および装置が必要である。
【００４９】
本開示の実施形態は、デュアルモードＭＳがＷｉＭＡＸネットワークからＣＤＭＡ  ＥＶＤＯ／１ｘネットワークへハンドオーバすることを可能にする方法および装置を提供する。そのような技法は、ＭＳがＷｉＭＡＸからＣＤＭＡネットワークカバレージへ移動する間、サービス継続性を高めることができる。さらに、本開示の実施形態は、規格変更を必要とせず、ハンドオーバはＭＳによって自動的に実行できる（すなわち、ハンドオーバはＭＳ自律プロシージャである）。
【００５０】
図５に、ＷｉＭＡＸネットワークからＣＤＭＡ  ＥＶＤＯ／１ｘネットワークへのＭＳ自律ハンドオーバのための例示的な動作のフローチャートを示す。５００において、デュアルモードＭＳに可能なＣＤＭＡカバレージを走査させることができるトリガを検出することによって動作が開始する。トリガイベントは、たとえば、意図的に周期的であるか、ＨＨＯ、ＦＢＳＳ、またはＭＤＨＯなど、サポートまたは選択されたハンドオーバ方法に応じて生じるか、あるいはネイバー広告メッセージ中で受信されたネイバーＢＳの数が過去に受信された数よりも小さいときに生じる場合がある。
【００５１】
周期的トリガリングは、ＭＳのステータスにかかわらず、いくつかの時間間隔において生じる場合がある。いくつかの実施形態の場合、これらの時間間隔をＭＳにあらかじめ設定し、必要な場合、後で新しい時間間隔で更新することができる。
【００５２】
ＭＳがＨＨＯをサポートするとき、サービングＷｉＭＡＸ  ＢＳの平均キャリア対干渉ノイズ比（ＣＩＮＲ）、または平均受信信号強度インジケータ（ＲＳＳＩ）が第１のしきい値を下回り、平均ＣＩＮＲまたは平均ＲＳＳＩが第２のしきい値を超えるネイバーＷｉＭＡＸ  ＢＳがないときトリガイベントが生じる場合があり、ただし、第１のしきい値と第２のしきい値とは異なることがある。たとえば、サービングＷｉＭＡＸしきい値およびネイバーＷｉＭＡＸしきい値を、それぞれＴ＿ＳｃａｎＣＤＭＡ＿１およびＴ＿ＳｃａｎＣＤＭＡ＿２と表すことができる。本質的に、ＭＳがサービングＷｉＭＡＸ  ＢＳの有効カバレージを越えて目下移動し、ハンドオーバする適切なＷｉＭＡＸ  ＢＳがないときトリガイベントが生じる場合がある。
【００５３】
ＦＢＳＳまたはＭＤＨＯをサポートするＭＳの場合、ダイバーシティセット中のすべてのＷｉＭＡＸ  ＢＳの平均ＣＩＮＲがあるしきい値を下回るとき、トリガリングが生じる場合がある。たとえば、このしきい値をＴ＿ＳｃａｎＣＤＭＡ＿３と表すことができ、さらに（１＋γ）＊Ｈ＿Ｄｅｌｅｔｅに等しいとすることができ、ただし、γは０以上の調整係数であり、Ｈ＿ＤｅｌｅｔｅはＢＳをダイバーシティセットからいつ削除すべきかを判断するために、ＦＢＳＳ／ＭＤＨＯ対応ＭＳによって使用されるしきい値である。調整係数γを用いて、移動しているＭＳがＷｉＭＡＸカバレージを失い、ハンドオーバを開始することを試みる前に十分にＣＤＭＡカバレージを走査することをトリガするために、トリガリングしきい値はＨ＿Ｄｅｌｅｔｅしきい値よりも大きいとすることができる。要するに、すべての近くのＷｉＭＡＸ  ＢＳ  ＣＩＮＲ値があるしきい値を下回り、したがってＭＳが移動しそうであると予測したか、またはＭＳがＷｉＭＡＸネットワークの有効カバレージの外側に移動したことを示したとき、このトリガイベントが生じる場合がある。
【００５４】
ネイバー広告メッセージ（ＭＯＢ＿ＮＢＲ−ＡＤＶ）中で受信された隣接ＷｉＭＡＸ  ＢＳの数が過去に受信されたＭＯＢ＿ＮＢＲ−ＡＤＶメッセージ中のネイバーＢＳの平均数を乗算されたβよりも小さいとき、ネイバー広告メッセージトリガリングが生じる場合があり、ただし、βは０以上の調整係数である。たとえば、走査は、ｎ番目のＭＯＢ＿ＮＢＲ−ＡＤＶメッセージを受信するとトリガされ、Ｎ＿ＮＢＲ（ｎ）＜β＊Ａ＿Ｎ＿ＮＢＲ（ｎ−１）、ｎ＝０、１、２．．．であり、ただし、Ｎ＿ＮＢＲ（ｎ）は現在のＭＯＢ＿ＮＢＲ−ＡＤＶメッセージ中のネイバーＢＳの数であり、Ａ＿Ｎ＿ＮＢＲ（ｎ）＝α＊Ｎ＿ＮＢＲ（ｎ）＋（１−α）＊Ａ＿Ｎ＿ＮＢＲ（ｎ−１）は指数移動平均であり、αはその移動平均用の平滑化係数である。
【００５５】
ＷｉＭＡＸ  ＢＳは同じネイバーメッセージをブロードキャストし続けることができるので、各ＭＯＢ＿ＮＢＲ−ＡＤＶメッセージを受信した後に、指数ｎを増分する必要はなく、平均Ａ＿Ｎ＿ＮＢＲ（ｎ）を計算する必要はない。むしろ、ＭＳが異なるネイバー広告メッセージを受信することができるとき、ＭＤＨＯまたはＦＢＳＳにおけるアンカーＢＳへのハンドオーバまたは更新の場合に指数ｎは増分される。
【００５６】
ＷｉＭＡＸネットワーク中のデータパケットを失うことなしにＣＤＭＡ  ＥＶＤＯ／１ｘネットワークを走査するために、現在のデータ送信を一時的に中断することができる。したがって、上記のトリガ条件の１つが満たされたとき、ＭＳがＣＤＭＡ  ＥＶＤＯ／１ｘネットワークを走査するためにＷｉＭＡＸネットワークと通信することができないいくつかの時間間隔をＷｉＭＡＸ  ＢＳに通知するために、５１０において、ＭＳは、走査間隔割振り要求（ＭＯＢ＿ＳＣＮ−ＲＥＱ）メッセージをＷｉＭＡＸ  ＢＳに送信することによってＷｉＭＡＸネットワークとの現在のデータ送信の中断を要求することができる。
【００５７】
ＭＯＢ＿ＳＣＮ−ＲＥＱメッセージは、走査継続時間、インタリーブ間隔、および走査反復などのパラメータを備えることができる。走査継続時間は、要求された走査期間の継続時間（ＯＦＤＭ／ＯＦＤＭＡフレーム単位）とすることができ、インタリーブ間隔は、走査継続時間の間でインタリーブされるＭＳ通常動作の期間とすることができ、走査反復は、ＭＳによる反復走査間隔の要求された数とすることができる。これらのパラメータについては、図６に関して以下でより詳細に説明する。
【００５８】
走査要求メッセージを受信した後、次いで、ＷｉＭＡＸ  ＢＳは、走査間隔割振り応答（ＭＯＢ＿ＳＣＮ−ＲＳＰ）メッセージで応答することができる。ＢＳは、走査要求を許可するか、または拒否する。
【００５９】
ＣＤＭＡ  ＥＶＤＯ／１ｘネットワークの走査をトリガすると、５２０において、ＭＳは、ＭＳにあらかじめプログラムすることができる好適ローミングリスト（ＰＲＬ）を使用して、ＣＤＭＡネットワークを走査する。ＰＲＬは、可能なＣＤＭＡパイロットを走査し、ＣＤＭＡネットワークに同期させ、および／またはセクタパラメータメッセージまたはシステムパラメータメッセージを収集するために、ＣＤＭＡチャネル情報を与えことができる。走査中に正常に識別されたすべてのＣＤＭＡ  ＢＳをＣＤＭＡパイロット候補セット中に含めることができる。各候補パイロットは、次の属性、すなわちＥＶＤＯまたは１ｘプロトコル改訂、帯域クラス、チャネル番号、システム識別番号（ＳＩＤ）、ネットワーク識別番号（ＮＩＤ）、パケットゾーンＩＤ、およびパイロット擬似雑音（ＰＮ）オフセットを備えることができる。
【００６０】
図６に、ＭＳがＣＤＭＡ  ＢＳ走査を実行する走査間隔を示す。５００において、ＣＤＭＡ  ＥＶＤＯ／１ｘネットワーク走査のためのトリガを検出すると、ＭＳはネットワークを走査することを開始することができ、開始フレーム６１０によって示される。その後、ＭＳは所定の走査継続時間６２０の間ＣＤＭＡネットワークを走査することができ、それが終了すると、ＭＳは所定のインタリーブ間隔６２２の間走査を中止し、通常動作を再開することができる。走査およびインタリーブのこの交互のパターンはＣＤＭＡ  ＢＳ走査の終了まで続けることができる。複数の走査反復ではなく、ＭＯＢ＿ＳＣＮ−ＲＥＱ走査反復パラメータは、いくつかの実施形態では単一の走査反復を示すことがある。そのような場合、ＣＤＭＡ  ＢＳの走査は単一の走査継続時間をのみ含むことができる。
【００６１】
走査が完了するごとに、１つまたは複数の新しい候補ＣＤＭＡパイロットを候補セット中に追加することができる。逆に、走査中にもはやパイロットが発見されない場合、１つまたは複数の既存の候補ＣＤＭＡパイロットをＣＤＭＡ候補セットから削除することができる。
【００６２】
５３０において、ＣＤＭＡ  ＢＳ走査の結果に応じて、ＭＳは、ＣＤＭＡ  ＢＳへのハンドオーバを開始すべきかどうかを自律的に判断する。ハンドオーバする決定は、何らかの候補ＣＤＭＡ  ＢＳが利用可能であることをＣＤＭＡ  ＢＳ走査が示すことに加えて、ＭＳによってサポートされるハンドオーバ方法に応じてトリガできる。ＨＨＯの場合、サービングＢＳが、しきい値よりも小さい平均ＣＩＮＲ、および／または別のしきい値よりも小さい平均ＲＳＳＩ、および／またはさらに別のしきい値よりも大きいＢＳ往復遅延（ＲＴＤ）を有するとき、ハンドオーバをトリガすることができる。ＦＢＳＳまたはＭＤＨＯの場合、ダイバーシティセット中のすべてのＢＳが削除されそうである、すなわち平均ＣＩＮＲがＨ＿Ｄｅｌｅｔｅよりも小さいとき、ハンドオーバをトリガすることができる。
【００６３】
５３０において、ＣＤＭＡ  ＢＳへハンドオーバすることを決定した場合、５４０においてハンドオーバ中に、ＭＳは、登録解除要求（ＤＲＥＧ−ＲＥＱ）メッセージをサービングＷｉＭＡＸ  ＢＳに送信することによってアイドル状態に入る意図をシグナリングする。ＷｉＭＡＸ  ＢＳからの応答（たとえば、登録解除コマンド（ＤＲＥＧ−ＣＭＤ）メッセージ）またはタイムアウトを受信すると、ＭＳはＷｉＭＡＸ  ＢＳとの接続を終了する。データ接続を終了した後、ＭＳは、候補セットにおけるすべてのＣＤＭＡパイロットを探索し、各パイロットのパイロット強度を測定する。次いで、ＭＳは、ＣＤＭＡ  ＥＶＤＯ／１ｘネットワークへのアクセスのための最も強いパイロットを選択することができる。次いでＭＳは、アクセスを開始し、最も強いパイロットに関連するＣＤＭＡ  ＢＳとの新しいデータセッションおよび接続をセットアップする。
【００６４】
しかしながら、候補セットにおいてパイロットが発見されなかった場合、ＭＳはアクセスのための可能なＣＤＭＡパイロットを識別するために新しいＣＤＭＡチャネル探索を開始する。さらに、所定の最終期限の前にＣＤＭＡ  ＥＶＤＯ／１ｘネットワークへのハンドオーバが失敗した場合、ＭＳは依然として、ＷｉＭＡＸ規格で指定されたアイドルモードプロシージャ後のネットワークリエントリを使用してＷｉＭＡＸネットワークに復帰して、前のデータセッションを再開することができる。
【００６５】
図７に、ＭＳ自律ＷｉＭＡＸ−ＣＤＭＡ  ＥＶＤＯ／１ｘハンドオーバプロシージャをさらに示し、デュアルモードＭＳ４２０とＷｉＭＡＸ  ＢＳ１０４とＣＤＭＡ  ＢＳ４１０との間の対話を詳述する。前述のように、ＷｉＭＡＸ−ＣＤＭＡ  ＥＶＤＯ／１ｘハンドオーバプロセスは、７３０においてＣＤＭＡネットワークを走査するためのトリガで開始する。次いで、７４０において、ＭＳは走査要求（ＭＯＢ＿ＳＣＮ−ＲＥＱ）をＷｉＭＡＸ  ＢＳに送信する。７５０において、ＷｉＭＡＸ  ＢＳは、要求を許可する走査応答（ＭＯＢ＿ＳＣＮ−ＲＳＰ）で応答する。その後、７６０において、ＭＳは、ＣＤＭＡ  ＥＶＤＯ／１ｘ  ＢＳを走査し、すべての可能なＣＤＭＡパイロットを候補セット中に含める。７７０において、実際のハンドオーバのためのトリガが受信されたとき、７８０において、ＭＳは登録解除要求（ＤＲＥＧ−ＲＥＱ）をＷｉＭＡＸ  ＢＳに送信する。７８５において応答して、ＷｉＭＡＸ  ＢＳは、ＷｉＭＡＸ  ＢＳとの通常動作を終了するようにＭＳに命令する登録解除コマンド（ＤＲＥＧ−ＣＭＤ）を送信する。次いで、７９０において、ＭＳは、新しいＣＤＭＡ  ＥＶＤＯ／１ｘ  ＢＳにアクセスし、新しいデータセッションおよび接続をセットアップする。
【００６６】
ＣＤＭＡからＷｉＭＡＸへの例示的なハンドオーバ
図４Ｂに、符号分割多元接続（ＣＤＭＡ）セル４０４がＷｉＭＡＸセル１０２に隣接しているモビリティシナリオを示す。ＣＤＭＡセル４０４の少なくともいくつかは、ＷｉＭＡＸ信号のカバレージを与えることもできるが、本開示中のいくつかの実施形態のために、ＣＤＭＡセル４０４は今回、デュアルモードＭＳ４２０など、ユーザ端末と通信するためにＣＤＭＡ  Ｅｖｏｌｕｔｉｏｎ−Ｄａｔａ  Ｏｐｔｉｍｉｚｅｄ（ＥＶＤＯ）を利用する。各ＣＤＭＡセル４０４は一般に、デュアルモードＭＳ４２０とのＣＤＭＡ  ＥＶＤＯネットワーク通信を可能にするためにＣＤＭＡ  ＢＳ４１０を有する。
【００６７】
図４Ｂの現在のシナリオでは、ＭＳ４２０は、ＣＤＭＡ  ＢＳ４１０のカバレージエリアの外側に移動し、ＷｉＭＡＸ  ＢＳ１０４のカバレージエリアに入ることができる。図示のようにＣＤＭＡセル４０４からＷｉＭＡＸセル１０２に遷移する間、ＭＳ４２０は、ＭＳが両方のネットワークから信号を受信することが可能であるカバレージオーバーラップエリア４０８に入ることができる。
【００６８】
この遷移中に、ＭＳは、ＣＤＭＡ  ＢＳからＷｉＭＡＸ  ＢＳへのハンドオーバプロセスを実施することができる。同じネットワークタイプの２つのＢＳ間のハンドオーバに関連する通常の困難に加えて、ＣＤＭＡ  ＥＶＤＯからＷｉＭＡＸへなど、異なるネットワークタイプの２つのＢＳ間のハンドオーバはサービス継続性にさらなる課題を提示し、これは、ハンドオーバが行われるとき、ＭＳがデータ転送中である場合、特に深刻である。
【００６９】
したがって、デュアルモードＭＳがサービス途絶を最小限に抑えながらＣＤＭＡネットワークからＷｉＭＡＸネットワークへのハンドオーバを迅速に自律的に実行することができるような技法および装置が必要である。
【００７０】
本開示の実施形態は、デュアルモードＭＳがＣＤＭＡ  ＥＶＤＯネットワークからＷｉＭＡＸネットワークへハンドオーバすることを可能にする方法および装置を提供する。そのような技法は、ＭＳがＣＤＭＡからＷｉＭＡＸネットワークカバレージへ移動する間、サービス継続性を高めることができる。さらに、本開示の実施形態は規格変更を必要とせず、ハンドオーバはＭＳによって自動的に実行できる（すなわち、ハンドオーバはＭＳ自律プロシージャである）。
【００７１】
図８に、ＣＤＭＡ  ＥＶＤＯネットワークからＷｉＭＡＸネットワークへのＭＳ自律ハンドオーバのための例示的な動作のフローチャートを示す。８００において、デュアルモードＭＳに可能なＷｉＭＡＸカバレージを走査させることができるトリガを検出することによって動作が開始する。トリガイベントは、たとえば、意図的に周期的であるか、ＣＤＭＡアクティブセット中のパイロット強度しきい値に応じて生じるか、あるいはネイバー数しきい値に応じて生じる場合がある。
【００７２】
周期的トリガリングは、ＭＳのステータスにかかわらず、いくつかの時間間隔において生じる場合がある。いくつかの実施形態の場合、これらの時間間隔をＭＳにあらかじめ設定し、必要な場合、後で新しい時間間隔で更新することができる。
【００７３】
ＣＤＭＡアクティブセット中のすべてのパイロットがあるしきい値よりも小さいパイロット強度を有するとき、パイロット強度しきい値トリガリングが生じる場合がある。たとえば、このしきい値をＴ＿ＳｃａｎＷｉＭＡＸと表すことができ、Ｔ＿ＳｃａｎＷｉＭＡＸは（１＋γ）＊Ｔ＿ＤＲＯＰと表すことができ、ただし、γは０以上の調整係数であり、Ｔ＿ＤＲＯＰは、パイロットをＣＤＭＡアクティブセットからいつ削除すべきかを判断するために、ＭＳによって使用されるしきい値である。調整係数γを用いて、移動しているＭＳがＣＤＭＡカバレージを失い、ハンドオーバを開始することを試みる前に十分にＷｉＭＡＸカバレージを走査することをトリガするために、トリガリングしきい値はＴ＿ＤＲＯＰしきい値よりも大きいとすることができる。要するに、すべての近くのＣＤＭＡ  ＢＳパイロット強度値があるしきい値を下回り、したがってＭＳが移動しそうであると予測したか、またはＭＳがＣＤＭＡネットワークの有効カバレージエリアの外側に移動したことを示したとき、このトリガイベントが生じる場合がある。
【００７４】
ネイバーリストメッセージ、拡張ネイバーリストメッセージ、一般ネイバーリストメッセージ、または汎用ネイバーリストメッセージ中で受信された隣接ＣＤＭＡ  ＢＳの数が、過去に受信された（拡張／一般／汎用）ネイバーリストメッセージ中のネイバーの平均数を乗算されたβよりも小さいとき、ネイバー数しきい値トリガリングが生じる場合があり、ただし、βは０以上の調整係数である。たとえば、走査は、ｎ番目の（拡張／一般／汎用）ネイバーリストメッセージを受信するとトリガされ、Ｎ＿ＮＢＲ（ｎ）＜β＊Ａ＿Ｎ＿ＮＢＲ（ｎ−１）、ｎ＝０、１、２．．．であり、ただし、Ｎ＿ＮＢＲ（ｎ）は現在の（拡張／一般／汎用）ネイバーリストメッセージ中のネイバーセクタの数であり、Ａ＿Ｎ＿ＮＢＲ（ｎ）＝α＊Ｎ＿ＮＢＲ（ｎ）＋（１−α）＊Ａ＿Ｎ＿ＮＢＲ（ｎ−１）は指数移動平均であり、αは平滑化係数である。
【００７５】
ＷｉＭＡＸネットワークの走査をトリガすると、８１０において、ＭＳはＷｉＭＡＸネットワーク走査を開始する。ＣＤＭＡ  ＥＶＤＯネットワーク中のデータパケットを失うことなしにＷｉＭＡＸネットワークを走査するために、現在のデータ送信を一時的に中断することができる。したがって、上記のトリガ条件の１つが満たされたとき、ＭＳがＷｉＭＡＸネットワークを走査するためにＣＤＭＡ  ＥＶＤＯネットワークと通信することができないいくつかの時間間隔をＣＤＭＡ  ＢＳに通知するために、ＭＳはデータレート制御（ＤＲＣ）カバーとして「ｎｕｌｌ  ｃｏｖｅｒ」をＣＤＭＡ  ＢＳに送信することによってＣＤＭＡ  ＥＶＤＯネットワークとの現在のデータ送信の中断を要求することができる。
【００７６】
ＤＲＣカバーをＣＤＭＡ  ＥＶＤＯ  ＢＳに送信した後、８２０において、ＭＳは、ＭＳにあらかじめプログラムすることができる支援情報を使用して、ＷｉＭＡＸネットワークを走査する。たとえば、支援情報は、帯域クラス、帯域幅、ＦＦＴサイズ、および巡回プレフィックス（ＣＰ）比を備えることができる。この情報を使用して、ＭＳは、ＷｉＭＡＸ  ＢＳプリアンブルを探索し、ＷｉＭＡＸフレーミングに同期させ、ＤＬ−ＭＡＰを読み取り、またはさらに、ダウンリンクチャネル記述子（ＤＣＤ）およびアップリンクチャネル記述子（ＵＣＤ）メッセージを収集することができる。その後、走査を通して正常に識別された隣接エリア中のＷｉＭＡＸ  ＢＳを、ＷｉＭＡＸ  ＢＳ候補セットに追加することができる。候補セット中の各候補ＷｉＭＡＸ  ＢＳは以下の属性、すなわちＢＳ  ＩＤ、帯域幅、ＦＦＴサイズ、ＣＰ比、周波数割当て（ＦＡ）指数、フレームサイズ、プリアンブル指数、および随意のＤＣＤ／ＵＣＤを含むことができる。
【００７７】
走査に続いて、ＭＳは、ＤＲＣ  Ｃｏｖｅｒ＝Ｓｅｃｔｏｒ  ＣｏｖｅｒメッセージをＣＤＭＡ  ＥＶＤＯ  ＢＳに送信することによって、走査プロセスの完了をＣＤＭＡ  ＥＶＤＯ  ＢＳに通知することができる。さらに、１つまたは複数の新しい候補ＷｉＭＡＸ  ＢＳを、候補セットに追加することができる。逆に、走査中にもはや（１つまたは複数の）候補ＷｉＭＡＸ  ＢＳが発見されない場合、１つまたは複数の既存の候補ＷｉＭＡＸ  ＢＳを候補セットから削除する。
【００７８】
８３０において、ＷｉＭＡＸ  ＢＳ走査の結果に応じて、ＭＳは、ＷｉＭＡＸ  ＢＳへのハンドオーバを開始すべきかどうかを自律的に判断する。ハンドオーバする決定は、何らかの候補ＷｉＭＡＸ  ＢＳが利用可能であることをＷｉＭＡＸ  ＢＳ走査が示すことに加えて、どのトリガイベントが生じたかに依存することができる。たとえば、アクティブセット中のすべてのパイロットが削除されそうであるとき、ハンドオーバが行われることがある。
【００７９】
８３０において、ＷｉＭＡＸ  ＢＳへハンドオーバすることを決定した場合、８４０においてハンドオーバ中に、ＭＳは、ＣＤＭＡ  ＥＶＤＯネットワークとのデータ接続を閉じ、休止状態に入るために、Ｃｏｎｎｅｃｔｉｏｎ  ＣｌｏｓｅメッセージをＣＤＭＡ  ＢＳに送信する。次に、ＭＳは、候補セット中のすべてのＷｉＭＡＸ  ＢＳを走査し、ＣＩＮＲおよび／またはＲＳＳＩに従ってチャネル品質を測定することができる。ＭＳは、たとえば、ＷｉＭＡＸネットワークにアクセスするために、最大ＣＩＮＲまたはＲＳＳＩのいずれかをもつ最も適切なＷｉＭＡＸ  ＢＳ候補を選択する。次いでＭＳは、ネットワークエントリアクセスを開始し、選択されたＷｉＭＡＸ  ＢＳとの新しいデータセッションおよび接続をセットアップすることができる。
【００８０】
しかしながら、候補セットにおいてＷｉＭＡＸ  ＢＳが発見されなかった場合、ＭＳはアクセスのための可能なＷｉＭＡＸ  ＢＳを識別するために新しいＷｉＭＡＸチャネル探索を開始する。さらに、所定の最終期限の前にＷｉＭＡＸネットワークへのハンドオーバが失敗した場合、ＭＳは依然として、ＣＤＭＡ  ＥＶＤＯ規格で指定された休止状態プロシージャからの再活動化を使用してＣＤＭＡ  ＥＶＤＯネットワークに復帰して、前のデータセッションを再開することができる。
【００８１】
図９に、ＭＳ自律ＣＤＭＡ  ＥＶＤＯ−ＷｉＭＡＸハンドオーバプロシージャをさらに示し、デュアルモードＭＳ４２０とＣＤＭＡ  ＢＳ４１０とＷｉＭＡＸ  ＢＳ１０４との間の対話を詳述する。ハンドオーバプロセスは、９３０においてＷｉＭＡＸ  ＢＳを走査するためのトリガで開始する。次いで、９４０において、ＭＳは、ＤＲＣ  Ｃｏｖｅｒ＝Ｎｕｌｌ  Ｃｏｖｅｒメッセージを送信することによって、差し迫った走査をＣＤＭＡ  ＥＶＤＯ  ＢＳに通知する。その後、９５０において、ＭＳは、ＷｉＭＡＸ  ＢＳを走査し、すべての可能なＷｉＭＡＸ  ＢＳを候補セット中に含める。走査に続いて、９６０において、ＭＳは、ＤＲＣ  Ｃｏｖｅｒ＝Ｓｅｃｔｏｒ  ＣｏｖｅｒメッセージをＣＤＭＡ  ＥＶＤＯ  ＢＳに送信することによって、走査プロセスの完了をＣＤＭＡ  ＥＶＤＯ  ＢＳに通知する。９７０においてハンドオーバをトリガすると、ＭＳは、９８０においてＣｏｎｎｅｃｔｉｏｎ  ＣｌｏｓｅメッセージをＣＤＭＡ  ＥＶＤＯ  ＢＳに送信し、その結果、９９０において、ＭＳは、現在の候補セット中のＷｉＭＡＸ  ＢＳのチャネル品質を測定し、ハンドオーバターゲットを選択し、ターゲットＷｉＭＡＸ  ＢＳへの初期ネットワークエントリを実行し、新しいデータセッションおよび接続をセットアップする。
【００８２】
上述の方法の様々な動作は、図に示すミーンズプラスファンクションブロックに対応する様々な（１つまたは複数の）ハードウェアおよび／またはソフトウェア構成要素および／またはモジュールによって実行できる。概して、対応する相対ミーンズプラスファンクション図を有する図に方法が示されている場合、動作ブロックは、同様の番号付けをもつミーンズプラスファンクションブロックに対応する。たとえば、図５に示すブロック５００〜５４０は図５Ａに示すミーンズプラスファンクションブロック５００Ａ〜５４０Ａに対応し、図８に示すブロック８００〜８４０は図８Ａに示すミーンズプラスファンクションブロック８００Ａ〜８４０Ａに対応する。
【００８３】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００８４】
情報および信号は、様々な異なる技術および技法のうちのいずれかを使用して表すことができる。たとえば、上記の説明全体にわたって言及されるデータ、命令、コマンド、情報、信号などは、電圧、電流、電磁波、磁界または磁性粒子、光場または光粒子、あるいはそれらの任意の組合せによって表すことができる。
【００８５】
本明細書に記載の技法は、直交多重化方式に基づく通信システムを含む様々な通信システムに使用できる。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインタリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送信される。
【００８６】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替形態では、プロセッサは、市販されているプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００８７】
本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐（たとえば、記憶、符号化など）することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００８８】
本明細書で開示する方法は、説明した方法を達成するための１つまたは複数のステップまたはアクションを備える。本方法のステップおよび／またはアクションは、特許請求の範囲の範囲から逸脱することなく互いに交換することができる。言い換えれば、ステップまたはアクションの特定の順序が指定されない限り、特定のステップおよび／またはアクションの順序および／または使用は特許請求の範囲から逸脱することなく変更できる。
【００８９】
説明した機能は、ハードウェア、ソフトウェア、ファームウェア、またはそれらの組合せで実装できる。ソフトウェアで実装する場合、機能は、命令または命令の１つまたは複数のセットとしてコンピュータ可読媒体または記憶媒体上に記憶できる。記憶媒体は、コンピュータまたは１つまたは複数の処理デバイスによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形態の所望のプログラムコードを運搬または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【００９０】
ソフトウェアまたは命令はまた、送信媒体を介して送信できる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【００９１】
さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、そのようなデバイスは、本明細書に記載の方法を実行するための手段の転送を可能にするために、サーバに結合できる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【００９２】
特許請求の範囲は、上記の正確な構成および構成要素に限定されないことを理解されたい。上記の方法および装置の構成、動作および詳細において、特許請求の範囲から逸脱することなく、様々な改変、変更および変形を行うことができる。
【図１】
2011522467.tif 000003
【図２】
2011522467.tif 000004
【図３】
2011522467.tif 000005
【図４Ａ】
2011522467.tif 000006
【図４Ｂ】
2011522467.tif 000007
【図５】
2011522467.tif 000008
【図５Ａ】
2011522467.tif 000009
【図６】
2011522467.tif 000010
【図７】
2011522467.tif 000011
【図８】
2011522467.tif 000012
【図８Ａ】
2011522467.tif 000013
【図９】
2011522467.tif 000014
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）および第２の無線アクセス技術（ＲＡＴ）を介するネットワークサービス間のハンドオーバを実行するための方法であって、
前記第１のＲＡＴを介する通信をしながら、前記第２のＲＡＴを介するネットワークサービスの走査を開始するトリガを検出することと、前記第１のＲＡＴと前記第２のＲＡＴとは異なり、前記トリガを検出することは、ネイバーリスティングメッセージ中で受信されたネイバーの数がネイバーリスティングメッセージ中で以前に受信されたネイバーの数よりも小さいことを検出することを含み、
前記トリガを検出したことに応答して、前記第２のＲＡＴの前記走査を開始することと、
前記走査の結果に基づいて前記第２のＲＡＴを介するネットワークサービスへハンドオーバすべきかどうかを判断することと
を備える方法。
【請求項２】
前記トリガを検出することが周期的トリガに反応することをさらに備える、請求項１に記載の方法。
【請求項３】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項１に記載の方法。
【請求項４】
前記走査を開始することが、走査間隔割振り要求（ＭＯＢ＿ＳＣＮ―ＲＥＱ）メッセージを送信することを備える、請求項３に記載の方法。
【請求項５】
前記トリガを検出することが、さらに、
前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回ることを判断することと、
平均ＣＩＮＲまたは平均ＲＳＳＩが第２のしきい値を上回る、前記第１のＲＡＴを介する通信をしている他のチャネルがないことを判断することと
を備える、請求項３に記載の方法。
【請求項６】
前記トリガを検出することは、さらに、ダイバーシティセット中のすべての要素の平均キャリア対干渉ノイズ比（ＣＩＮＲ）がしきい値を下回るときを判断することを備える、請求項３に記載の方法。
【請求項７】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項６に記載の方法。
【請求項８】
前記ネイバーリスティングメッセージが、ネイバー広告メッセージを備え、前記トリガを検出することは、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断することを備え、βが０以上の調整係数である、請求項３に記載の方法。
【請求項９】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項８に記載の方法。
【請求項１０】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項１に記載の方法。
【請求項１１】
前記走査を開始することが、データレート制御（ＤＲＣ）カバーとして「ｎｕｌｌ  ｃｏｖｅｒ」を送信することを備える、請求項１０に記載の方法。
【請求項１２】
前記トリガを検出することは、さらに、ＣＤＭＡアクティブセット中のすべてのパイロットがしきい値よりも小さいパイロット強度を有するときを判断することを備える、請求項１０に記載の方法。
【請求項１３】
前記しきい値が（１＋γ）＊Ｔ＿ＤＲＯＰに等しく、γが０以上の調整係数であり、Ｔ＿ＤＲＯＰが、前記ＣＤＭＡアクティブセットからパイロットをいつ削除すべきかを判断するために使用されるＣＤＭＡしきい値である、請求項１２に記載の方法。
【請求項１４】
前記ネイバーリスティングメッセージが、ネイバーリストメッセージを備え、前記トリガを検出することは、ネイバーリストメッセージ中で受信されたネイバーの数が、以前のネイバーリストメッセージ中の前記ネイバーの平均数を乗算されたβよりも小さいときを判断することを備え、βが０以上の調整係数である、請求項１０に記載の方法。
【請求項１５】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項１４に記載の方法。
【請求項１６】
前記ネイバーリストメッセージが、拡張ネイバーリストメッセージ、一般ネイバーリストメッセージ、または汎用ネイバーリストメッセージのうちの少なくとも１つである、請求項１４に記載の方法。
【請求項１７】
ワイヤレス通信のための受信機であって、
第１の無線アクセス技術（ＲＡＴ）によって通信しながら、第２のＲＡＴを介するネットワークサービスの走査を開始するトリガを検出するように構成されたトリガ検出論理と、前記第１のＲＡＴと前記第２のＲＡＴとは異なり、前記トリガ検出論理は、ネイバーリスティングメッセージ中で受信されたネイバーの数がネイバーリスティングメッセージ中で以前に受信されたネイバーの数よりも小さいことを検出するように構成され、
前記トリガを検出したことに応答して、前記第２のＲＡＴの前記走査を開始するように構成された走査開始論理と、
前記走査の結果に基づいて前記第２のＲＡＴを介するネットワークサービスへハンドオーバすべきかどうかを判断するように構成されたハンドオーバ判断論理と
を備える受信機。
【請求項１８】
前記トリガ検出論理が周期的トリガに反応するようにさらに、構成された、請求項１７に記載の受信機。
【請求項１９】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項１７に記載の受信機。
【請求項２０】
前記トリガ検出論理が、さらに、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、請求項１９に記載の受信機。
【請求項２１】
前記トリガ検出論理が、さらに、ダイバーシティセット中のすべての要素の平均キャリア対干渉ノイズ比（ＣＩＮＲ）がしきい値を下回るときを判断するように構成された、請求項１９に記載の受信機。
【請求項２２】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項２１に記載の受信機。
【請求項２３】
前記ネイバーリスティングメッセージが、ネイバー広告メッセージを備え、前記トリガ検出論理は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、請求項１９に記載の受信機。
【請求項２４】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項２３に記載の受信機。
【請求項２５】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項１７に記載の受信機。
【請求項２６】
前記トリガ検出論理は、さらに、ＣＤＭＡアクティブセット中のすべてのパイロットがしきい値よりも小さいパイロット強度を有するときを判断するように構成された、請求項２５に記載の受信機。
【請求項２７】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項２６に記載の受信機。
【請求項２８】
前記ネイバーリスティングメッセージが、ネイバーリストメッセージを備え、前記トリガ検出論理が、ネイバーリストメッセージ中で受信されたネイバーの数が以前のネイバーリストメッセージ中の前記ネイバーの平均数を乗算されたβよりも小さいときを判断するように構成され、βが０以上の調整係数である、請求項２５に記載の受信機。
【請求項２９】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項２８に記載の受信機。
【請求項３０】
前記ネイバーリストメッセージが、拡張ネイバーリストメッセージ、一般ネイバーリストメッセージ、または汎用ネイバーリストメッセージのうちの少なくとも１つである、請求項２８に記載の受信機。
【請求項３１】
第１の無線アクセス技術（ＲＡＴ）および第２の無線アクセス技術（ＲＡＴ）を介するネットワークサービス間のハンドオーバを実行するための装置であって、
前記第１のＲＡＴを介する通信をしながら、前記第２のＲＡＴを介するネットワークサービスの走査を開始するトリガを検出するための手段と、前記第１のＲＡＴと前記第２のＲＡＴとは異なり、前記トリガを検出する手段は、ネイバーリスティングメッセージ中で受信されたネイバーの数がネイバーリスティングメッセージ中で以前に受信されたネイバーの数よりも小さいことを検出するように構成され、
前記トリガを検出したことに応答して、前記第２のＲＡＴの前記走査を開始するための手段と、
前記走査の結果に基づいて前記第２のＲＡＴを介するネットワークサービスへハンドオーバすべきかどうかを判断するための手段と
を備える装置。
【請求項３２】
前記トリガを検出するための前記手段が周期的トリガに反応するように構成された、請求項３１に記載の装置。
【請求項３３】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項３１に記載の装置。
【請求項３４】
前記トリガを検出するための前記手段が、さらに、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、請求項３３に記載の装置。
【請求項３５】
前記トリガを検出するための前記手段が、さらに、ダイバーシティセット中のすべての要素の平均キャリア対干渉ノイズ比（ＣＩＮＲ）がしきい値を下回るときを判断するように構成された、請求項３３に記載の装置。
【請求項３６】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項３５に記載の装置。
【請求項３７】
前記ネイバーリスティングメッセージが、ネイバー広告メッセージを備え、前記トリガを検出するための前記手段は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、請求項３３に記載の装置。
【請求項３８】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項３７に記載の装置。
【請求項３９】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項３１に記載の装置。
【請求項４０】
前記トリガを検出するための前記手段は、さらに、ＣＤＭＡアクティブセット中のすべてのパイロットがしきい値よりも小さいパイロット強度を有するときを判断するように構成された、請求項３９に記載の装置。
【請求項４１】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項４０に記載の装置。
【請求項４２】
前記ネイバーリスティングメッセージが、ネイバーリストメッセージを備え、前記トリガを検出するための前記手段が、ネイバーリストメッセージ中で受信されたネイバーの数が以前のネイバーリストメッセージ中の前記ネイバーの平均数を乗算されたβよりも小さいときを判断するように構成され、βが０以上の調整係数である、請求項３９に記載の装置。
【請求項４３】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項４２に記載の装置。
【請求項４４】
前記ネイバーリストメッセージが、拡張ネイバーリストメッセージ、一般ネイバーリストメッセージ、または汎用ネイバーリストメッセージのうちの少なくとも１つである、請求項４２に記載の装置。
【請求項４５】
第１の無線アクセス技術（ＲＡＴ）によって通信するための受信機フロントエンドと、
前記第１のＲＡＴを介する通信をしながら、第２のＲＡＴを介するネットワークサービスの走査を開始するトリガを検出するように構成されたトリガ検出論理と、前記第１のＲＡＴと前記第２のＲＡＴとは異なり、前記トリガ検出論理は、ネイバーリスティングメッセージ中で受信されたネイバーの数がネイバーリスティングメッセージ中で以前に受信されたネイバーの数よりも小さいことを検出するように構成され、
前記トリガを検出したことに応答して、前記第２のＲＡＴの前記走査を開始するように構成された走査開始論理と、
前記走査の結果に基づいて前記第２のＲＡＴを介するネットワークサービスへハンドオーバすべきかどうかを判断するように構成されたハンドオーバ判断論理と
を備えるモバイルデバイス。
【請求項４６】
前記トリガ検出論理が周期的トリガに反応するように構成された、請求項４５に記載のモバイルデバイス。
【請求項４７】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項４５に記載のモバイルデバイス。
【請求項４８】
前記トリガ検出論理が、さらに、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、請求項４７に記載のモバイルデバイス。
【請求項４９】
前記トリガ検出論理が、さらに、ダイバーシティセット中のすべての要素の平均キャリア対干渉ノイズ比（ＣＩＮＲ）がしきい値を下回るときを判断するように構成された、請求項４７に記載のモバイルデバイス。
【請求項５０】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項４９に記載のモバイルデバイス。
【請求項５１】
前記ネイバーリスティングメッセージが、ネイバー広告メッセージを備え、前記トリガ検出論理は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、請求項４７に記載のモバイルデバイス。
【請求項５２】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項５１に記載のモバイルデバイス。
【請求項５３】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項４５に記載のモバイルデバイス。
【請求項５４】
前記トリガ検出論理は、さらに、ＣＤＭＡアクティブセット中のすべてのパイロットがしきい値よりも小さいパイロット強度を有するときを判断するように構成された、請求項５３に記載のモバイルデバイス。
【請求項５５】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項５４に記載のモバイルデバイス。
【請求項５６】
前記ネイバーリスティングメッセージが、ネイバーリストメッセージを備え、前記トリガ検出論理が、ネイバーリストメッセージ中で受信されたネイバーの数が以前のネイバーリストメッセージ中の前記ネイバーの平均数を乗算されたβよりも小さいときを判断するように構成され、βが０以上の調整係数である、請求項５３に記載のモバイルデバイス。
【請求項５７】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項５６に記載のモバイルデバイス。
【請求項５８】
前記ネイバーリストメッセージが、拡張ネイバーリストメッセージ、一般ネイバーリストメッセージ、または汎用ネイバーリストメッセージのうちの少なくとも１つである、請求項５６に記載のモバイルデバイス。
【請求項５９】
１つまたは複数のプロセッサによって実行可能な命令を記憶したコンピュータ可読媒体を備える、第１の無線アクセス技術（ＲＡＴ）および第２の無線アクセス技術（ＲＡＴ）を介するネットワークサービス間のハンドオーバを実行するためのコンピュータプログラム装置であって、前記命令が、
前記第１のＲＡＴを介する通信をしながら、前記第２のＲＡＴを介するネットワークサービスの走査を開始するトリガを検出するための命令と、前記第１のＲＡＴと前記第２のＲＡＴとは異なり、前記トリガを検出することは、ネイバーリスティングメッセージ中で受信されたネイバーの数がネイバーリスティングメッセージ中で以前に受信されたネイバーの数よりも小さいことを検出することを含み、
前記トリガを検出したことに応答して、前記第２のＲＡＴの前記走査を開始するための命令と、
前記走査の結果に基づいて前記第２のＲＡＴを介するネットワークサービスへハンドオーバすべきかどうかを判断するための命令と
を備える、コンピュータプログラム装置。
【請求項６０】
前記トリガを検出するための前記命令がさらに、周期的トリガに反応するための命令を備える、請求項５９に記載のコンピュータプログラム装置。
【請求項６１】
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、請求項５９に記載のコンピュータプログラム装置。
【請求項６２】
前記トリガを検出するための前記命令が、
前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回ることを判断するための命令と、
平均ＣＩＮＲまたは平均ＲＳＳＩが第２のしきい値を上回る、前記第１のＲＡＴを介する通信をしている他のチャネルがないことを判断するための命令と
を備える、請求項６１に記載のコンピュータプログラム装置。
【請求項６３】
前記トリガを検出するための前記命令が、さらに、ダイバーシティセット中のすべての要素の平均キャリア対干渉ノイズ比（ＣＩＮＲ）がしきい値を下回るときを判断するための命令を備える、請求項６１に記載のコンピュータプログラム装置。
【請求項６４】
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、請求項６３に記載のコンピュータプログラム装置。
【請求項６５】
前記ネイバーリスティングメッセージが、ネイバー広告メッセージを備え、前記トリガを検出するための前記命令は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するための命令を備え、βが０以上の調整係数である、請求項６１に記載のコンピュータプログラム装置。
【請求項６６】
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、請求項６５に記載のコンピュータプログラム装置。
【請求項６７】
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、請求項５９に記載のコンピュータプログラム装置。
【請求項６８】
前記トリガを検出するための前記命令は、さらに、ＣＤＭＡアクティブセット中のすべてのパイロットがしきい値よりも小さいパイロット強度を有するときを判断するための命令を備える、請求項６７に記載のコンピュータプログラム装置。
【請求項６９】
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、請求項６８に記載のコンピュータプログラム装置。
【請求項７０】
前記ネイバーリスティングメッセージが、ネイバーリストメッセージを備え、前記トリガを検出するための前記命令が、ネイバーリストメッセージ中で受信されたネイバーの数が以前のネイバーリストメッセージ中の前記ネイバーの平均数を乗算されたβよりも小さいときを判断するための命令を備え、βが０以上の調整係数である、請求項６７に記載のコンピュータプログラム装置。
【請求項７１】
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、請求項７０に記載のコンピュータプログラム装置。
【請求項７２】
前記ネイバーリストメッセージが、拡張ネイバーリストメッセージ、一般ネイバーリストメッセージ、または汎用ネイバーリストメッセージのうちの少なくとも１つである、請求項７０に記載のコンピュータプログラム装置。
【手続補正２】
【補正対象書類名】明細書
【補正対象項目名】００９２
【補正方法】変更
【補正の内容】
【００９２】
特許請求の範囲は、上記の正確な構成および構成要素に限定されないことを理解されたい。上記の方法および装置の構成、動作および詳細において、特許請求の範囲から逸脱することなく、様々な改変、変更および変形を行うことができる。
以下の記載は、出願当初の特許請求の範囲と実質的に等しい記載であり、本実施の形態は以下の発明も含むものである。
［１］
第１の無線アクセス技術（ＲＡＴ）および第２の無線アクセス技術（ＲＡＴ）を介するネットワークサービス間のハンドオーバを実行するための方法であって、
前記第１のＲＡＴを介する通信をしながら、前記第２のＲＡＴを介するネットワークサービスの走査を開始するトリガを検出することと、前記第１のＲＡＴと前記第２のＲＡＴとは異なり、
前記トリガを検出したことに応答して、前記第２のＲＡＴの前記走査を開始することと、
前記走査の結果に基づいて前記第２のＲＡＴを介するネットワークサービスへハンドオーバすべきかどうかを判断することと
を備える方法。
［２］
前記トリガを検出することが周期的トリガに反応することを備える、［１］に記載の方法。
［３］
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、［１］に記載の方法。
［４］
前記走査を開始することが、走査間隔割振り要求（ＭＯＢ＿ＳＣＮ―ＲＥＱ）メッセージを送信することを備える、［３］に記載の方法。
［５］
前記トリガを検出することが、
前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回ることを判断することと、
平均ＣＩＮＲまたは平均ＲＳＳＩが第２のしきい値を上回る、前記第１のＲＡＴを介する通信をしている他のチャネルがないことを判断することと
を備える、［３］に記載の方法。
［６］
前記トリガを検出することは、ダイバーシティセット中のすべての要素の平均キャリア対干渉ノイズ比（ＣＩＮＲ）がしきい値を下回るときを判断することを備える、［３］に記載の方法。
［７］
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、［６］に記載の方法。
［８］
前記トリガを検出することは、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断することを備え、βが０以上の調整係数である、［３］に記載の方法。
［９］
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、［８］に記載の方法。
［１０］
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、［１］に記載の方法。
［１１］
前記走査を開始することが、データレート制御（ＤＲＣ）カバーとして「ｎｕｌｌ  ｃｏｖｅｒ」を送信することを備える、［１０］に記載の方法。
［１２］
前記トリガを検出することは、ＣＤＭＡアクティブセット中のすべてのパイロットがしきい値よりも小さいパイロット強度を有するときを判断することを備える、［１０］に記載の方法。
［１３］
前記しきい値が（１＋γ）＊Ｔ＿ＤＲＯＰに等しく、γが０以上の調整係数であり、Ｔ＿ＤＲＯＰが、前記ＣＤＭＡアクティブセットからパイロットをいつ削除すべきかを判断するために使用されるＣＤＭＡしきい値である、［１２］に記載の方法。
［１４］
前記トリガを検出することは、ネイバーリストメッセージ中で受信されたネイバーの数が、以前のネイバーリストメッセージ中の前記ネイバーの平均数を乗算されたβよりも小さいときを判断することを備え、βが０以上の調整係数である、［１０］に記載の方法。
［１５］
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、［１４］に記載の方法。
［１６］
前記ネイバーリストメッセージが、拡張ネイバーリストメッセージ、一般ネイバーリストメッセージ、または汎用ネイバーリストメッセージのうちの少なくとも１つである、［１４］に記載の方法。
［１７］
ワイヤレス通信のための受信機であって、
第１の無線アクセス技術（ＲＡＴ）によって通信しながら、第２のＲＡＴを介するネットワークサービスの走査を開始するトリガを検出するように構成されたトリガ検出論理と、前記第１のＲＡＴと前記第２のＲＡＴとは異なり
前記トリガを検出したことに応答して、前記第２のＲＡＴの前記走査を開始するように構成された走査開始論理と、
前記走査の結果に基づいて前記第２のＲＡＴを介するネットワークサービスへハンドオーバすべきかどうかを判断するように構成されたハンドオーバ判断論理と
を備える受信機。
［１８］
前記トリガ検出論理が周期的トリガに反応するように構成された、［１７］に記載の受信機。
［１９］
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、［１７］に記載の受信機。
［２０］
前記トリガ検出論理が、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、［１９］に記載の受信機。
［２１］
前記トリガ検出論理が、ダイバーシティセット中のすべての要素の平均キャリア対干渉ノイズ比（ＣＩＮＲ）がしきい値を下回るときを判断するように構成された、［１９］に記載の受信機。
［２２］
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、［２１］に記載の受信機。
［２３］
前記トリガ検出論理は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、［１９］に記載の受信機。
［２４］
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、［２３］に記載の受信機。
［２５］
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、［１７］に記載の受信機。
［２６］
前記トリガ検出論理は、ＣＤＭＡアクティブセット中のすべてのパイロットがしきい値よりも小さいパイロット強度を有するときを判断するように構成された、［２５］に記載の受信機。
［２７］
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、［２６］に記載の受信機。
［２８］
前記トリガ検出論理が、ネイバーリストメッセージ中で受信されたネイバーの数が以前のネイバーリストメッセージ中の前記ネイバーの平均数を乗算されたβよりも小さいときを判断するように構成され、βが０以上の調整係数である、［２５］に記載の受信機。
［２９］
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、［２８］に記載の受信機。
［３０］
前記ネイバーリストメッセージが、拡張ネイバーリストメッセージ、一般ネイバーリストメッセージ、または汎用ネイバーリストメッセージのうちの少なくとも１つである、［２８］に記載の受信機。
［３１］
第１の無線アクセス技術（ＲＡＴ）および第２の無線アクセス技術（ＲＡＴ）を介するネットワークサービス間のハンドオーバを実行するための装置であって、
前記第１のＲＡＴを介する通信をしながら、前記第２のＲＡＴを介するネットワークサービスの走査を開始するトリガを検出するための手段と、前記第１のＲＡＴと前記第２のＲＡＴとは異なり、
前記トリガを検出したことに応答して、前記第２のＲＡＴの前記走査を開始するための手段と、
前記走査の結果に基づいて前記第２のＲＡＴを介するネットワークサービスへハンドオーバすべきかどうかを判断するための手段と
を備える装置。
［３２］
前記トリガを検出するための前記手段が周期的トリガに反応するように構成された、［３１］に記載の装置。
［３３］
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、［３１］に記載の装置。
［３４］
前記トリガを検出するための前記手段が、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、［３３］に記載の装置。
［３５］
前記トリガを検出するための前記手段が、ダイバーシティセット中のすべての要素の平均キャリア対干渉ノイズ比（ＣＩＮＲ）がしきい値を下回るときを判断するように構成された、［３３］に記載の装置。
［３６］
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、［３５］に記載の装置。
［３７］
前記トリガを検出するための前記手段は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、［３３］に記載の装置。
［３８］
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、［３７］に記載の装置。
［３９］
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、［３１］に記載の装置。
［４０］
前記トリガを検出するための前記手段は、ＣＤＭＡアクティブセット中のすべてのパイロットがしきい値よりも小さいパイロット強度を有するときを判断するように構成された、［３９］に記載の装置。
［４１］
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、［４０］に記載の装置。
［４２］
前記トリガを検出するための前記手段が、ネイバーリストメッセージ中で受信されたネイバーの数が以前のネイバーリストメッセージ中の前記ネイバーの平均数を乗算されたβよりも小さいときを判断するように構成され、βが０以上の調整係数である、［３９］に記載の装置。
［４３］
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、［４２］に記載の装置。
［４４］
前記ネイバーリストメッセージが、拡張ネイバーリストメッセージ、一般ネイバーリストメッセージ、または汎用ネイバーリストメッセージのうちの少なくとも１つである、［４２］に記載の装置。
［４５］
第１の無線アクセス技術（ＲＡＴ）によって通信するための受信機フロントエンドと、
前記第１のＲＡＴを介する通信をしながら、第２のＲＡＴを介するネットワークサービスの走査を開始するトリガを検出するように構成されたトリガ検出論理と、前記第１のＲＡＴと前記第２のＲＡＴとは異なり、
前記トリガを検出したことに応答して、前記第２のＲＡＴの前記走査を開始するように構成された走査開始論理と、
前記走査の結果に基づいて前記第２のＲＡＴを介するネットワークサービスへハンドオーバすべきかどうかを判断するように構成されたハンドオーバ判断論理と
を備えるモバイルデバイス。
［４６］
前記トリガ検出論理が周期的トリガに反応するように構成された、［４５］に記載のモバイルデバイス。
［４７］
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、［４５］に記載のモバイルデバイス。
［４８］
前記トリガ検出論理が、前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回るかどうかを判断することと、平均ＣＩＮＲまたは平均ＲＳＳＩが第２のしきい値を上回る、前記第１のＲＡＴを介する通信をしている他のチャネルがないかどうかを判断することとを行うように構成された、［４７］に記載のモバイルデバイス。
［４９］
前記トリガ検出論理が、ダイバーシティセット中のすべての要素の平均キャリア対干渉ノイズ比（ＣＩＮＲ）がしきい値を下回るときを判断するように構成された、［４７］に記載のモバイルデバイス。
［５０］
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、［４９］に記載のモバイルデバイス。
［５１］
前記トリガ検出論理は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するように構成され、βが０以上の調整係数である、［４７］に記載のモバイルデバイス。
［５２］
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、［５１］に記載のモバイルデバイス。
［５３］
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、［４５］に記載のモバイルデバイス。
［５４］
前記トリガ検出論理は、ＣＤＭＡアクティブセット中のすべてのパイロットがしきい値よりも小さいパイロット強度を有するときを判断するように構成された、［５３］に記載のモバイルデバイス。
［５５］
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、［５４］に記載のモバイルデバイス。
［５６］
前記トリガ検出論理が、ネイバーリストメッセージ中で受信されたネイバーの数が以前のネイバーリストメッセージ中の前記ネイバーの平均数を乗算されたβよりも小さいときを判断するように構成され、βが０以上の調整係数である、［５３］に記載のモバイルデバイス。
［５７］
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、［５６］に記載のモバイルデバイス。
［５８］
前記ネイバーリストメッセージが、拡張ネイバーリストメッセージ、一般ネイバーリストメッセージ、または汎用ネイバーリストメッセージのうちの少なくとも１つである、［５６］に記載のモバイルデバイス。
［５９］
１つまたは複数のプロセッサによって実行可能な命令を記憶したコンピュータ可読媒体を備える、第１の無線アクセス技術（ＲＡＴ）および第２の無線アクセス技術（ＲＡＴ）を介するネットワークサービス間のハンドオーバを実行するためのコンピュータプログラム装置であって、前記命令が、
前記第１のＲＡＴを介する通信をしながら、前記第２のＲＡＴを介するネットワークサービスの走査を開始するトリガを検出するための命令と、前記第１のＲＡＴと前記第２のＲＡＴとは異なり、
前記トリガを検出したことに応答して、前記第２のＲＡＴの前記走査を開始するための命令と、
前記走査の結果に基づいて前記第２のＲＡＴを介するネットワークサービスへハンドオーバすべきかどうかを判断するための命令と
を備える、コンピュータプログラム装置。
［６０］
前記トリガを検出するための前記命令が周期的トリガに反応するための命令を備える、［５９］に記載のコンピュータプログラム装置。
［６１］
前記第１のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、前記第２のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）または１ｘＲＴＴ（１ｘ無線伝送技術）である、［５９］に記載のコンピュータプログラム装置。
［６２］
前記トリガを検出するための前記命令が、
前記第１のＲＡＴによる前記ネットワークサービスにおける平均キャリア対干渉ノイズ比（ＣＩＮＲ）または平均受信信号強度インジケータ（ＲＳＳＩ）が第１のしきい値を下回ることを判断するための命令と、
平均ＣＩＮＲまたは平均ＲＳＳＩが第２のしきい値を上回る、前記第１のＲＡＴを介する通信をしている他のチャネルがないことを判断するための命令と
を備える、［６１］に記載のコンピュータプログラム装置。
［６３］
前記トリガを検出するための前記命令が、ダイバーシティセット中のすべての要素の平均キャリア対干渉ノイズ比（ＣＩＮＲ）がしきい値を下回るときを判断するための命令を備える、［６１］に記載のコンピュータプログラム装置。
［６４］
前記しきい値が（１＋γ）＊Ｈ＿Ｄｅｌｅｔｅに等しく、γが０以上の調整係数であり、Ｈ＿Ｄｅｌｅｔｅが、前記ダイバーシティセットから要素をいつ削除すべきかを判断するために使用されるＷｉＭＡＸしきい値である、［６３］に記載のコンピュータプログラム装置。
［６５］
前記トリガを検出するための前記命令は、ネイバー広告メッセージ（ＭＯＢ＿ＮＢＲ−ＡＤＶ）中で受信されたネイバーの数が、以前のネイバー広告メッセージ中の前記ネイバーの平均数を乗算されたβよりも小さいときを判断するための命令を備え、βが０以上の調整係数である、［６１］に記載のコンピュータプログラム装置。
［６６］
ｎ番目のネイバー広告メッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のＭＯＢ＿ＮＢＲ−ＡＤＶメッセージの前記ネイバーの前記数である、［６５］に記載のコンピュータプログラム装置。
［６７］
前記第１のＲＡＴがＣＤＭＡ（符号分割多元接続）ＥＶＤＯ（Ｅｖｏｌｕｔｉｏｎ−Ｄａｔａ  Ｏｐｔｉｍｉｚｅｄ）であり、前記第２のＲＡＴがＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である、［５９］に記載のコンピュータプログラム装置。
［６８］
前記トリガを検出するための前記命令は、ＣＤＭＡアクティブセット中のすべてのパイロットがしきい値よりも小さいパイロット強度を有するときを判断するための命令を備える、［６７］に記載のコンピュータプログラム装置。
［６９］
前記しきい値が（１＋γ）＊Ｔ＿ＤＲＯＰに等しく、γが０以上の調整係数であり、Ｔ＿ＤＲＯＰが前記ＣＤＭＡアクティブセットからパイロットをいつ削除すべきかを判断するために使用されるＣＤＭＡしきい値である、［６８］に記載のコンピュータプログラム装置。
［７０］
前記トリガを検出するための前記命令が、ネイバーリストメッセージ中で受信されたネイバーの数が以前のネイバーリストメッセージ中の前記ネイバーの平均数を乗算されたβよりも小さいときを判断するための命令を備え、βが０以上の調整係数である、［６７］に記載のコンピュータプログラム装置。
［７１］
ｎ番目のネイバーリストメッセージのためのＡ＿Ｎ＿ＮＢＲ（ｎ）と表される前記ネイバーの前記平均数が、α＊Ｎ＿ＮＢＲ（ｎ）＋（１−α）＊Ａ＿Ｎ＿ＮＢＲ（ｎ−１）に等しい指数移動平均であり、ただし、αは前記移動平均用の平滑化係数であり、Ｎ＿ＮＢＲ（ｎ）は前記ｎ番目のネイバーリストメッセージの前記ネイバーの前記数である、［７０］に記載のコンピュータプログラム装置。
［７２］
前記ネイバーリストメッセージが、拡張ネイバーリストメッセージ、一般ネイバーリストメッセージ、または汎用ネイバーリストメッセージのうちの少なくとも１つである、［７０］に記載のコンピュータプログラム装置。
【国際調査報告】
2011522467.tif 000015
2011522467.tif 000016
2011522467.tif 000017